【事件の表示】
　特許第５９９６９０１号発明「光選択透過フィルター、樹脂シート及び固体撮像素子」の特許異議申立事件について，次のとおり決定する。
【結　論】
　特許第５９９６９０１号の明細書及び特許請求の範囲を訂正請求書に添付された訂正明細書及び特許請求の範囲のとおり，訂正後の請求項〔１−５〕について訂正することを認める。
　特許第５９９６９０１号の請求項１，４及び５に係る特許を取り消す。
　同請求項２及び３に係る特許についての特許異議の申立てを却下する。
【理　由】
第１　手続の経緯
　特許第５９９６９０１号（請求項の数５。以下，「本件特許」という。）に係る特許出願は，平成２４年３月２７日（優先権主張平成２３年９月２日）に出願されたものであって，平成２８年９月２日に特許権の設定登録がされた。
　同年９月２１日に本件特許の特許掲載公報の発行がされたところ，平成２９年３月２１日に特許異議申立人より請求項１ないし５に係る特許について特許異議の申立てがされ，同年５月１６日付けで特許権者に取消理由が通知され，特許権者より同年７月１８日に意見書が提出されるとともに訂正の請求がされ，同年９月１１日に異議申立人より意見書が提出され，同年１０月２６日付けで特許権者に取消理由通知（決定の予告）がされ（以下，当該取消理由通知（決定の予告）を「本件取消予告」といい，本件取消予告により通知された取消理由を「予告理由」という。），特許権者より同年１２月２８日に意見書が提出されるとともに訂正の請求（以下，当該訂正の請求を「本件訂正請求」といい，本件訂正請求による訂正を「本件訂正」という。なお，特許法１２０条の５第７項の規定により，平成２９年７月１８日にされた先の訂正請求は取り下げられたものとみなす。）がされた。
第２　本件訂正の可否についての判断
１　本件訂正の内容
（１）訂正前後の記載
　本件訂正請求は，本件特許の特許請求の範囲を，訂正請求書に添付した訂正特許請求の範囲のとおり，訂正後の請求項１ないし５について訂正することを求めるものである。
　しかるに，本件訂正前後の特許請求の範囲の記載は次のとおりである。（下線は訂正箇所を示す。）
　ア　本件訂正前の記載
（ア）特許請求の範囲
「【請求項１】
樹脂シートと，その少なくとも一方の表面に形成されてなる反射膜とを含む光選択透過フィルターであって，
該樹脂シートは，色素及び樹脂成分を含有する樹脂層を有し，
該色素は，金属フタロシアニン系色素
及び／又はポルフィリン系色素
該樹脂層は，溶剤可溶性であり，
該
樹脂層に含まれる
シクロオレフィン系樹脂，
該ポリ（アミド）イミド樹脂は，
芳香環を脂環又は脂肪鎖で置き換えた構造を有す
【請求項２】
前記金属フタロシアニン系色素は，銅，バナジウム及び亜鉛からなる群から選択される少なくとも１種の金属元素を中心金属とする，金属フタロシアニンであることを特徴とする請求項１に記載の光選択透過フィルター。
【請求項３】
前記金属フタロシアニン系色素及びポルフィリン系色素は，６００〜８００ｎｍの波長域に吸収極大を有することを特徴とする請求項１又は２に記載の光選択透過フィルター。
【請求項４】
請求項
１〜３のいずれか
【請求項５】
請求項
１〜３のいずれか
（イ）明細書中の訂正に係る記載
「【０１０３】
実施例１
合成例１の溶液に，３ＰｈＯＰｃＺｎ（中心金属：Ｚｎ，フタロシアニン系色素，吸収極大波長７００ｎｍ）を０．００４８７５部加え均一に溶解させた。この色素含有ポリイミド溶液をガラス板に塗布し，１５０℃で３時間焼成した。ガラス板から剥がして亜鉛フタロシアニン色素含有ポリイミドフィルム（厚み２２μｍ）のフィルムを得た。このフィルムについて，上述した試験方法に従って耐光性及び溶解性を評価した。結果を表１に示す。
なお，３ＰｈＯＰｃＺｎの構造を下記に示す。
【０１０４】
【化６】
」
　イ　本件訂正後の記載
（ア）特許請求の範囲
「【請求項１】
樹脂シートと，その少なくとも一方の表面に形成されてなる
赤外線
該樹脂シートは，色素及び樹脂成分を含有する樹脂層を有し，
該色素は，
６００〜８００ｎｍの波長域に吸収極大を有する
該金属フタロシアニン系色素は，銅を中心金属とする金属フタロシアニンであり，
該色素の含有量は，該樹脂シートの総量１００質量％に対して，０．０００１質量％以上，１５質量％未満であり，
該樹脂層は，溶剤可溶性であり，
該色素と該樹脂成分を混合して得られる樹脂組成物を用いて形成され，
該樹脂成分は，フッ素化芳香族ポリマー及びポリ（アミド）イミド樹脂からなる群より選択される少なくとも１種の溶剤可溶性樹脂であり，
該ポリ（アミド）イミド樹脂は，
下記一般式（５）：
【化５】
（式中，Ｒ
４
は，同一又は異なって，有機基を表す。該有機基は，脂肪族鎖状炭化水素，脂肪族環状炭化水素，及び芳香族炭化水素からなる群より選択される少なくとも１種の炭化水素骨格が炭素−炭素結合を介して，又は結合基を介して結合した骨格を有するものであり，該結合基は，−Ｏ−，−ＳＯ
２
−，−ＣＯ−，−Ｓｉ（ＣＨ
３
）
２
−，−Ｃ
２
Ｈ
４
Ｏ−又は−Ｓ−である。）で表される繰り返し単位を有し，
該フッ素化芳香族ポリマーは，下記一般式（１−１）又は（１−２）で表される繰り返し単位を含む，フッ素原子を有するポリエーテルケトンであり，
【化１】
（一般式（１−１）中，Ｒ
１
は，下記構造群（３）で表される有機鎖を表す。
【化３】
Ｚは，２価の鎖又は直接結合を表し，該２価の鎖は，下記構造式（４−１）〜（４−１３）で表される鎖であり，
【化４】
該構造式（４−１）〜（４−１３）中，Ｘは，該構造式群（３）で表される有機鎖を表す。ｘ及びｙは０以上の整数であり，ｘ＋ｙ＝１〜８を満たし，同一又は異なって，芳香族環に結合しているフッ素原子の数を表す。ｎ
１
は，重合度を表し，２〜５０００の範囲内である。
一般式（１−２）中，Ｒ
２
は，炭素数１〜１２のアルキル基，炭素数１〜１２のアルコキシ基，炭素数１〜１２のアルキルチオ基，炭素数６〜２０のアリール基，炭素数６〜２０のアリールオキシ基，又は炭素数６〜２０のアリールチオ基を表す。Ｒ
３
は，該構造式群（３）で表される有機鎖を表す。ｚは，芳香族環に結合しているフッ素原子の数であり，１又は２である。ｎ
１
は，重合度を表し，２〜５０００の範囲である。）
該光選択透過フィルターは，６５０ｎｍ〜１０μｍの赤外光と２００〜３５０ｎｍの紫外光の透過率を選択的に５％以下に低減する赤外・紫外線カットフィルターであ
光学用途用
【請求項２】
（削除）
【請求項３】
（削除）
【請求項４】
請求項
１
【請求項５】
請求項
１
（イ）明細書中の訂正に係る記載
「【０１０３】
実施例１
合成例１の溶液に，３ＰｈＯＰｃＺｎ（中心金属：Ｚｎ，フタロシアニン系色素，吸収極大波長７００ｎｍ）を０．００４８７５部加え均一に溶解させた。この色素含有ポリイミド溶液をガラス板に塗布し，１５０℃で３時間焼成した。ガラス板から剥がして亜鉛フタロシアニン色素含有ポリイミドフィルム（厚み２２μｍ）のフィルムを得た。このフィルムについて，上述した試験方法に従って耐光性及び溶解性を評価した。結果を表１に示す。
【０１０４】
（削除）
（２）訂正事項
　本件訂正は，次の訂正事項からなる。（なお，本件訂正請求書で「訂正事項２」ないし「訂正事項５」とされていた訂正事項をまとめて「訂正事項２」と整理し，「訂正事項６」及び「訂正事項７」とされていた訂正事項をまとめて「訂正事項３」と整理した。）
　ア　訂正事項１
（ア）　請求項１に「反射膜」と記載されているのを「赤外線反射膜」に訂正する。
（イ）　請求項１に「該色素は，金属フタロシアニン系色素及び／又はポルフィリン系色素を含み，」と記載されているのを「該色素は，６００〜８００ｎｍの波長域に吸収極大を有する金属フタロシアニン系色素を含み，該金属フタロシアニン系色素は，銅を中心金属とする金属フタロシアニンであり，」に訂正する。
（ウ）　請求項１に「該色素の含有量は，該樹脂シートの総量１００質量％に対して，０．０００１質量％以上，１５質量％未満であり，」という記載を挿入する。
（エ）　請求項１に「該樹脂層に含まれる樹脂成分」と記載されているのを「該樹脂成分」に訂正する。
（オ）　請求項１に「該色素と該樹脂成分を混合して得られる樹脂組成物を用いて形成され，」という記載を挿入する。
（カ）　請求項１に「シクロオレフィン系樹脂，フッ素化芳香族ポリマー及びポリ（アミド）イミド樹脂からなる群」と記載されているのを「フッ素化芳香族ポリマー及びポリ（アミド）イミド樹脂からなる群」に訂正する。
（キ）　請求項１に「該ポリ（アミド）イミド樹脂は，芳香環を脂環又は脂肪鎖で置き換えた構造を有する」と記載されているのを「該ポリ（アミド）イミド樹脂は，下記一般式（５）：
【化５】　　　　　　　　　　　　　　　　　　　　　　　　　　　　　
（式中，Ｒ４は，同一又は異なって，有機基を表す。該有機基は，脂肪族鎖状炭化水素，脂肪族環状炭化水素，及び芳香族炭化水素からなる群より選択される少なくとも１種の炭化水素骨格が炭素−炭素結合を介して，又は結合基を介して結合した骨格を有するものであり，該結合基は，−Ｏ−，−ＳＯ２−，−ＣＯ−，−Ｓｉ（ＣＨ３）２−，−Ｃ２Ｈ４Ｏ−又は−Ｓ−である。）で表される繰り返し単位を有し，」に訂正する。
（ク）　請求項１に「該フッ素化芳香族ポリマーは，下記一般式（１−１）又は（１−２）で表される繰り返し単位を含む，フッ素原子を有するポリエーテルケトンであり，
【化１】　　　　　　　　　　　　　　　　　　　　　　　　　　　　　
（一般式（１−１）中，Ｒ１は，下記構造群（３）で表される有機鎖を表す。
【化３】　　　　　　　　　　　　　　　　　　　　　　　　　　　　　
Ｚは，２価の鎖又は直接結合を表し，該２価の鎖は，下記構造式（４−１）〜（４−１３）で表される鎖であり，
【化４】　　　　　　　　　　　　　　　　　　　　　　　　　　　　　
該構造式（４−１）〜（４−１３）中，Ｘは，該構造式群（３）で表される有機鎖を表す。ｘ及びｙは０以上の整数であり，ｘ＋ｙ＝１〜８を満たし，同一又は異なって，芳香族環に結合しているフッ素原子の数を表す。ｎ１は，重合度を表し，２〜５０００の範囲内である。
一般式（１−２）中，Ｒ２は，炭素数１〜１２のアルキル基，炭素数１〜１２のアルコキシ基，炭素数１〜１２のアルキルチオ基，炭素数６〜２０のアリール基，炭素数６〜２０のアリールオキシ基，又は炭素数６〜２０のアリールチオ基を表す。Ｒ３は，該構造式群（３）で表される有機鎖を表す。ｚは，芳香族環に結合しているフッ素原子の数であり，１又は２である。ｎ１は，重合度を表し，２〜５０００の範囲である。）」という記載を挿入する。
（ケ）　請求項１に「該光選択透過フィルターは，６５０ｎｍ〜１０μｍの赤外光と２００〜３５０ｎｍの紫外光の透過率を選択的に５％以下に低減する赤外・紫外線カットフィルターである」という記載を挿入する。
（コ）　請求項１に「光選択透過フィルター」と記載されているのを「光学用途用光選択透過フィルター」に訂正する。
　イ　訂正事項２
　請求項２及び３を削除するとともに，請求項４及び５にそれぞれ「請求項１〜３のいずれかに記載の」と記載されているのを「請求項１に記載の」に訂正する。
　ウ　訂正事項３
　明細書の【０１０３】中の「なお，３ＰｈＯＰｃＺｎの構造を下記に示す。」との記載と，【０１０４】中の記載とを削除する。
２　訂正の目的の適否について
　訂正事項１のうち前記１（２）ア（ア）に示した訂正事項は，請求項１，４及び５に係る発明の「反射膜」について，何を反射するのかは任意であったものを，「赤外線」を反射するものに限定しようとする訂正であるから，「特許請求の範囲の減縮」を目的とするものに該当する。なお，当該訂正事項により，訂正後の請求項４及び５についても同じ限定が付加されることになる。
　訂正事項１のうち前記１（２）ア（イ）に示した訂正事項は，請求項１，４及び５に係る発明の「色素」について，金属フタロシアニン系色素とポリフィリン系色素の少なくとも一方を含むものであればよかったものを，「６００〜８００ｎｍの波長域」に吸収極大波長が存在し，銅を中心金属とする金属フタロシアニンを含むものに限定しようとする訂正であるから，「特許請求の範囲の減縮」を目的とするものに該当する。
　訂正事項１のうち前記１（２）ア（ウ）に示した訂正事項は，請求項１，４及び５に係る発明の「色素の含有量」について，いかなる値であるかは任意であったものを，「樹脂シートの総量１００質量％に対して，０．０００１質量％以上，１５質量％未満」であることを限定しようとする訂正であるから，「特許請求の範囲の減縮」を目的とするものに該当する。
　訂正事項１のうち前記１（２）ア（エ）に示した訂正事項は，「樹脂成分を含有する樹脂層」という記載と重複していた「該樹脂層に含まれる樹脂成分」という記載から，重複する表現を削除しようとする訂正であるから，「明瞭でない記載の釈明」を目的とするものに該当する。
　訂正事項１のうち前記１（２）ア（オ）に示した訂正事項は，請求項１，４及び５に係る発明の「樹脂層」について，「色素と樹脂成分を混合して得られる樹脂組成物を用いて形成され」たものであることを限定しようとする訂正であるから，「特許請求の範囲の減縮」を目的とするものに該当する。
　訂正事項１のうち前記１（２）ア（カ）に示した訂正事項は，請求項１，４及び５に係る発明の「樹脂成分」について，その材質の選択肢から「シクロオレフィン系樹脂」を削除し，「フッ素化芳香族ポリマー」と「ポリ（アミド）イミド樹脂」のみにしようとする訂正であるから，「特許請求の範囲の減縮」を目的とするものに該当する。
　訂正事項１のうち前記１（２）ア（キ）に示した訂正事項は，請求項１，４及び５に係る発明の「ポリ（アミド）イミド樹脂」について，「芳香環を脂環又は脂肪鎖で置き換えた構造」を有するものであればよく，それ以外の構造については任意であったものを，一般式（５）で表される繰り返し単位を有しており，当該一般式（５）で表される繰り返し単位が「芳香環を脂環又は脂肪鎖で置き換えた構造」（より詳細には，２つのイミド結合に挟まれた芳香環を脂環であるシクロヘキサンで置き換えた構造）を有しているものに限定しようとする訂正であるから，「特許請求の範囲の減縮」を目的とするものに該当する。
　訂正事項１のうち前記１（２）ア（ク）に示した訂正事項は，請求項１，４及び５に係る発明の「フッ素化芳香族ポリマー」について，その構造については任意であったものを，一般式（１−１）又は（１−２）で表される繰り返し単位を含む，フッ素原子を有するポリエーテルケトンに限定しようとする訂正であるから，「特許請求の範囲の減縮」を目的とするものに該当する。
　訂正事項１のうち前記１（２）ア（ケ）に示した訂正事項は，請求項１，４及び５に係る発明の「光選択透過フィルター」が選択的に遮断する波長域や当該波長域の透過率については任意であったものを，「６５０ｎｍ〜１０μｍの赤外光と２００〜３５０ｎｍの紫外光の透過率を選択的に５％以下に低減する」ものに限定しようとする訂正であるから，「特許請求の範囲の減縮」を目的とするものに該当する。
　訂正事項１のうち前記１（２）ア（コ）に示した訂正事項は，請求項１，４及び５に係る発明の「光選択透過フィルター」の用途については任意であったものを，「光学用途用」のものに限定しようとする訂正であるから，「特許請求の範囲の減縮」を目的とするものに該当する。
　訂正事項２は，請求項２及び３を削除するとともに，請求項４及び５が引用する請求項の選択肢から当該請求項２及び３を削除する訂正であるから，「特許請求の範囲の減縮」を目的とするものに該当する。
　訂正事項３は，不明瞭であった本件訂正前の「３ＰｈＯＰｃＺｎ」に関する記載について，明瞭にしようとする訂正であるから，「明瞭でない記載の釈明」を目的とするものに該当する。
　したがって，本件訂正は特許法１２０条の５第２項ただし書１号及び３号に掲げる事項を目的とするものである。
３　新規事項の追加の有無について
　訂正事項１のうち前記１（２）ア（ア）ないし（ウ），（オ），（キ）ないし（コ）で示した各訂正事項により，請求項１，４及び５に係る発明に付加される限定事項は，本件訂正前の明細書及び特許請求の範囲における「【００７４】，【０１１６】」，「請求項２及び３，【００１６】，【００１８】」，「【００２１】」，「【００５４】，【０１０５】，【０１０７】」，「【００４７】ないし【００５０】」，「【００２７】ないし【００２９】，【００３４】ないし【００３８】」，「【００９２】」，「【００８７】」等に記載された事項であり，また，前記１（２）ア（エ）及び（カ）で示した訂正事項が，本件訂正前の願書に添付された明細書，特許請求の範囲及び図面（特許された時点での明細書，特許請求の範囲及び図面である。以下，本件訂正前の願書に添付された明細書，特許請求の範囲及び図面を総称して「特許明細書等」という。）に記載した事項との関係において，新たな技術的事項を導入するものでないことは明らかであるから，訂正事項１は，特許明細書等に記載した事項の範囲内においてするものである。
　また，訂正事項２は，請求項２及び３を削除する訂正であって，特許明細書等に記載した事項の範囲内においてするものであることは明らかである。
　さらに，訂正事項３は，明細書中における「３ＰｈＯＰｃＺｎ」を示す構造式を削除したにすぎず，特許明細書等に記載した事項の範囲内においてするものであることは明らかである。
　したがって，本件訂正は，特許法１２０条の５第９項において準用する同法１２６条５項の規定に適合する。
４　特許請求の範囲の実質的拡張・変更の存否について
　訂正事項１ないし３が，いずれも，実質上特許請求の範囲を拡張し，又は変更するものでないことは明らかであるから，本件訂正は，特許法１２０条の５第９項において準用する同法１２６条６項の規定に適合する。
５　本件訂正の可否のまとめ
　訂正前の請求項１ないし５は，請求項２ないし５が訂正の請求の対象である請求項１の記載を引用する関係にあるから，訂正前において一群の請求項に該当するものであり，したがって，本件訂正請求は特許法１２０条の５第３項及び４項並びに同条９項において準用する同法１２６条４項の規定に適合してなされたものであるところ，前記２ないし４のとおり，本件訂正は同法１２０条の５第２項ただし書１号及び３号に掲げる事項を目的とするものであり，かつ，同条９項において準用する同法１２６条５項及び６項の規定に適合するので，訂正後の請求項〔１ないし５〕について訂正を認める。
第３　特許異議の申立てについて
１　本件特許の請求項１，４及び５に係る発明
　前記第２　５で述べたとおり，本件訂正は適法になされたものであるから，本件特許の請求項１，４及び５に係る発明（以下，それぞれを「本件訂正発明１」，「本件訂正発明４」及び「本件訂正発明５」といい，これらを総称して「本件訂正発明」という。）は，それぞれ，前記第２　１（１）イ（ア）において示した請求項１，４及び５に記載された事項により特定されるとおりのものと認められる。
　なお，請求項１に記載された「６５０ｎｍ〜１０μｍの赤外光と２００〜３５０ｎｍの紫外光の透過率を選択的に５％以下に低減する」との発明特定事項については，本件訂正後の明細書（以下，「訂正明細書」という。）の【００８９】の「赤外線カットフィルターは，赤外線領域である６５０ｎｍ〜１０μｍの波長を有する光のうち，いずれかの波長（範囲）の光を選択的に低減する機能を有するフィルターであればよい。」との記載からみて，「６５０ｎｍ〜１０μｍ」という赤外光の波長範囲及び「２００〜３５０ｎｍ」という紫外光の波長範囲内のいずれの値の波長においても透過率を５％以下に低減することを特定しているのではなく，「６５０ｎｍ〜１０μｍ」という赤外光の波長範囲のうちの少なくとも一部の波長と「２００〜３５０ｎｍ」という紫外光の波長範囲のうちの少なくとも一部の波長とにおいて透過率を５％以下に低減することを特定しているものと解するのが相当である。
２　予告理由の概要
　本件取消予告により，（平成２９年７月１８日にされた訂正請求による訂正後の）請求項１，４及び５に係る特許に対して通知された予告理由は，概略次の理由を含んでいる。（なお，本件取消予告において「４　取消理由１（その３）の成否についての判断」の欄に記載された予告理由を「取消理由１」とし，「５　取消理由２のうち樹脂層及び色素に関するサポート要件違反の成否について」の欄に記載された理由のうち樹脂層に関する予告理由を「取消理由２」とした。）
（１）取消理由１
　請求項１，４に係る発明は，甲３の記載から把握される発明及び甲４に記載された事項に基づいて，当業者が容易に発明をすることができたものであり，請求項５に係る発明は，甲３の記載から把握される発明，甲４に記載された事項及び周知の事項に基づいて，当業者が容易に発明をすることができたものであるから，その特許は特許法２９条２項の規定に違反してされたものである。
　甲３：特開２００８−１８１１２１号公報
　甲４：特開平９−２７９１２５号公報
（２）取消理由２
　請求項１，４及び５に係る発明は，樹脂層に関して，本件特許明細書の発明の詳細な説明の記載や本件特許の出願時の技術常識から，発明の課題を解決できると当業者が認識できる範囲を超えており，発明の詳細な説明に記載したものといえないから，その特許は，同法３６条６項１号に規定する要件を満たしていない特許出願に対してされたものである。
３　取消理由１の成否についての判断
（１）　引用例
　ア　甲３
（ア）甲３の記載
　甲３（特開２００８−１８１１２１号公報）は，本件特許の優先権主張の日（以下，「本件優先日」という。）より前に頒布された刊行物であるところ，当該甲３には，次の記載がある。（下線は，後述する「甲３光選択透過フィルター発明」，「甲３基板発明」及び「甲３カメラモジュール発明」の認定に特に関係する箇所を示す。）
　ａ　「【特許請求の範囲】
【請求項１】
光の透過率を選択的に低減する光選択透過フィルターであって，
該フィルターは，厚みが２００μｍ未満であり，かつ基材が耐リフロー性機能フィルムを含んで構成されたものであることを特徴とする光選択透過フィルター。
【請求項２】
前記光選択透過フィルターは，基材及び光選択透過層からなり，
該基材は，耐リフロー性機能フィルムからなることを特徴とする請求項１記載の光選択透過フィルター。
【請求項３】
前記耐リフロー性機能フィルムは，下記（ａ）〜（ｃ）から選ばれる少なくとも一種であることを特徴とする請求項１又は２記載の光選択透過フィルター。
（ａ）　フッ素化芳香族ポリマー，多環芳香族ポリマー，ポリイミド樹脂，含フッ素高分子化合物及びエポキシ樹脂から選ばれる少なくとも一種を含んでなる耐リフロー性樹脂フィルム
（ｂ）　ガラスフィルム
（ｃ）　（ａ）及び（ｂ）を積層させてなる積層フィルム
・・・（中略）・・・
【請求項７】
前記光選択透過フィルターは，誘電体多層膜からなる光選択透過層を有することを特徴とする請求項１〜６のいずれかに記載の光選択透過フィルター。
・・・（中略）・・・
【請求項９】
前記光選択透過フィルターは，波長が４００〜６００ｎｍにおける光の透過率が８５％以上であり，かつ８００〜１０００ｎｍにおける光の透過率が５％以下の赤外カットフィルターであることを特徴とする請求項１〜８のいずれかに記載の光選択透過フィルター。
【請求項１０】
前記光選択透過フィルターは，波長が３００〜３８０ｎｍにおける光の透過率が５％以下の紫外線・赤外線カットフィルターであることを特徴とする請求項９記載の光選択透過フィルター。」
　ｂ　「【技術分野】
【０００１】
本発明は，光選択透過フィルターに関する。より詳しくは，レンズユニット等の光学用途やオプトデバイス用途に有用であり，その他，表示デバイス用途，機械部品，電気・電子部品等として用いることができる光選択透過フィルターに関する。」
　ｃ　「【背景技術】
【０００２】
光選択透過フィルターは，例えば，機械部品，電気・電子部品，自動車部品等として有用であり，特に光学部材として好適に用いられるものである。例えば，カメラモジュールにおいては，光学ノイズとなる赤外線（特に波長＞８００ｎｍ）を遮断し，反対波より吸収波の方が小さくなるように，赤外線を遮断（カット）するフィルターが用いられている。・・・（中略）・・・近年，光学部材等においては，例えば，デジタルカメラモジュールが携帯電話に搭載されるなど小型化が進み，光学部材の小型化が一層求められている。それにともなって，デジタルカメラモジュール等に用いられる赤外線をカットするフィルターや，レンズ等を有するレンズユニットの小型化が望まれるところである。
【０００３】
近赤外線カットフィルターに関し，特定のガラス転移温度と線膨張係数とを有する熱可塑性樹脂製の透明基板の一方の面に，屈折率の異なる誘電体層を交互に積層した誘電体多層膜からなる近赤外線反射膜を有し，前記透明基板の他方の面に等価屈折率膜，反射防止膜，ハードコート膜からなる群より選ばれる少なくとも１種の機能膜を有する近赤外線カットフィルターが開示されている（例えば，特許文献１参照。）。また，ノルボルネン系樹脂製基板と近赤外線反射膜とを有する近赤外線カットフィルターが開示されている（例えば，特許文献２参照。）。
しかしながら，赤外線を反射又は遮断する膜を蒸着形成する場合は，蒸着時には数百℃以上の温度がかかるため，基板材料の耐熱性が必要となる。そのために，基板材料の耐熱性を充分なものとし，種々の赤外線を遮断する材料を様々な方法により形成できるようにする工夫の余地があった。
・・・（中略）・・・
【発明が解決しようとする課題】
【０００５】
本発明は，上記現状に鑑みてなされたものであり，光を選択的に遮断し，可視光等の特定波長の透過率が高く，しかも充分に薄く，更に充分に薄くても耐熱性に優れた光選択透過フィルター，及び，該光選択透過フィルターを有するレンズユニットを提供することを目的とするものである。」
　ｄ　「【課題を解決するための手段】
【０００６】
本発明者は，光の透過率を選択的に低減する光選択透過フィルターについて種々検討したところ，光選択透過フィルターを薄くして，焦点距離を短くし，光路を短縮することができ，光選択透過フィルターを用いたカメラモジュール等の光学部材において有用であることを見いだした。また，光選択透過フィルターの基材を特定の構成とすることにより，薄膜化と耐半田リフロー（耐熱）性を両立できる光選択透過フィルターとなることも見いだし，上記課題をみごとに解決することができることに想到した。更に，光選択透過フィルターを備えるレンズユニットを小型化することができ，このような光学用途やオプトデバイス用途や，その他，表示デバイス用途，機械部品，電気・電子部品等の様々な用途に好適に適用することができることも見いだし，本発明に到達したものである。
【０００７】
すなわち本発明は，光の透過率を選択的に低減する光選択透過フィルターであって，上記フィルターは，厚みが２００μｍ未満であり，かつ基材が耐リフロー性機能フィルムを含んで構成されたものである光選択透過フィルターである。
本発明はまた，光選択透過フィルターとレンズとを備えるレンズユニットでもある。
以下に本発明を詳述する。
【０００８】
本発明の光選択透過フィルターは，光の透過率を選択的に低減し，厚みが２００μｍ未満である。特に光学部材に好適に用いることができるものである。
〔光選択透過フィルターの構成〕
上記
光選択透過フィルターは，厚みが２００μｍ未満である。
【０００９】
上記光選択透過フィルターの厚みを２００μｍ未満とすることにより，光選択透過フィルターを，小型化，軽量化することができ，種々の用途に好適に用いることができる。・・・（中略）・・・本発明の光選択透過フィルターは，厚みを２００μｍ未満とすることで，薄膜化を達成でき，特にレンズユニットに用いた場合に，レンズユニットの低背化を実現することができる。言い換えると２００μｍ未満の薄い光選択透過フィルターを光学部材として用いた場合に，光路を短縮することができ，該光学部材を小さくすることができる。具体的には，
カメラモジュールにおいては，レンズと光選択透過フィルターとシーモスセンサーとを有する
【００１０】
上記
光選択透過フィルターは，基材が耐リフロー性機能フィルムを含んで構成されたものである。
光選択透過フィルターは，基材及び光選択透過層からなり，上記基材は，耐リフロー性機能フィルムからなることが好ましい。
【００１１】
上記耐リフロー性機能フィルムとは，２５０℃・３ｍｉｎ，又は，２００℃・５ｈｒで形状を保持するフィルムをいう。・・・（中略）・・・本発明において耐リフロー性を有するとは，熱を加える前後での形状・寸法変化が，元の形状・寸法の２０％以下であることをいう。・・・（中略）・・・なお，２５０℃・３ｍｉｎで形状を保持しているとは，実装時の耐リフロー性が充分であることを示し，２００℃・５ｈｒで形状を保持しているとは，光選択透過フィルターの基材上に機能性材料層を積層させる蒸着時の耐リフロー性が充分であることを示す。・・・（中略）・・・
【００１４】
・・・（中略）・・・所望の光を選択的に透過し，それ以外の光をカットする機能を有する光選択透過層としては，低減する光の波長に応じて，構成等を適宜選択することができるが，耐熱性に優れる点からは，光選択透過層が，無機層からなることが好ましい。・・・（中略）・・・特に，所望の光を充分に低減させたい場合，多層構造とすることが好ましい。多層構造とすることで，選択的に低減する波長の透過率を，当該全波長領域において容易に１０％以下にすることができることとなる。言い換えると，透過させたい波長領域の透過率は高く，低減させたい波長領域の透過率は低いシャープな光選択透過フィルターとすることができる。・・・（中略）・・・このように，透過率がシャープに変わることで，例えば，カメラモジュールに用いる場合，シーモスセンサーに届く光から赤外光を選択的に除去できる等の利点がある。
・・・（中略）・・・
【００１６】
〔基材〕
上記光選択透過フィルターを構成する基材の材料としては，耐リフロー性機能フィルムを含むものであれば特に限定されず，有機材料，無機材料，有機・無機複合材料のいずれであってもよく，これらは１種又は２種以上を用いてもよい。・・・（中略）・・・具体的には，上記耐リフロー性機能フィルムが，下記（ａ）〜（ｃ）から選ばれる少なくとも一種であることが好ましい。好ましい耐リフロー性樹脂フィルムの（ａ）としては，（１）
フッ素化芳香族ポリマー
を含む耐リフロー性樹脂フィルムであることが好ましい。
【００２６】
・・・（中略）・・・上記基材の厚みとしては，光選択透過フィルターの形状に応じて適宜選択することができ，通常は，フィルム状である。
上述した基材は，通常用いられる方法によりフィルムを得ることができる。例えば，
（１）
の樹脂材料は，溶剤キャスト法
により成膜することができる。
【００３９】
〔光選択透過フィルターの好適な形態〕
本発明の光選択透過フィルターは，上述の構成であることが好ましく，選択的に透過率を低減させる波長としては，用途に応じて適宜選択することができる。例えば，赤外線の透過率を選択的に低減する形態，紫外線の透過率を選択的に低減する形態，
赤外線及び紫外線の両方の透過率を選択的に低減する
紫外線・赤外線カットフィルター
・・・（中略）・・・
【００４４】
上記
紫外線・赤外線カットフィルターは，撮像レンズ用における光ノイズを遮断するためのフィルターとして，特に好適に用いることができる。撮像レンズ用等における光ノイズ遮断を目的とする光選択透過フィルターとしては，
波長が４００〜６００ｎｍにおける光の透過率が８５％以上であり，かつ８００〜１０００ｎｍにおける透過率が５％以下であり，更に波長が３００〜３８０ｎｍにおける光の透過率が５％以下の紫外線・赤外線カットフィルターであることが特に好ましい。
・・・（中略）・・・
【００５０】
〔基材の材料〕
以下，
本発明の光選択透過フィルターの基材として好適に用いることができる
フッ素化芳香族ポリマー
（１）フッ素化芳香族ポリマー
上記フッ素化芳香族ポリマーとしては，少なくとも１つ以上のフッ素基を有する芳香族環と，エーテル結合，ケトン結合，スルホン結合，アミド結合，イミド結合，エステル結合の群より選ばれた少なくとも１つの結合を含む繰り返し単位により構成された重合体等が挙げられ，具体的には，例えば，フッ素原子を有するポリイミド，ポリエーテル，ポリエーテルイミド，ポリエーテルケトン，ポリエーテルスルホン，ポリアミドエーテル，ポリアミド，ポリエーテルニトリル，ポリエステル等が挙げられる。
本発明の組成物は，これらのフッ素化芳香族ポリマーの１種を含有するものであってもよく，２種以上を含有するものであってもよい。
【００５１】
本発明の
フッ素化芳香族ポリマーとしては，
下記一般式（１−１）又は（１−２）で表される繰り返し単位を含むフッ素原子を有するポリアリールエーテルであることがより好ましい。
【００５２】
【化５】　　　　　　　　　　　　　　　　　　　　　　　　　　　　　
【００５３】
上記一般式（１−１）中，
ｎ
１
は，重合度を表わし，２〜５０００の範囲内が好ましく，５〜５００の範囲内がさらに好ましい。
上記一般式（１−２）中，Ｒ２は，置換基を有していてもよい炭素数１〜１２のアルキル基，炭素数１〜１２のアルコキシ基，炭素数１〜１２のアルキルアミノ基，炭素数１〜１２のアルキルチオ基，炭素数６〜２０のアリール基，炭素数６〜２０のアリールオキシ基，炭素数６〜２０のアリールアミノ基又は炭素数６〜２０のアリールチオ基を表す。Ｒ３は，炭素数１〜１５０の芳香族環を有する２価の有機鎖を表す。ｚは，芳香族環に結合しているフッ素原子の数であり，１又は２である。ｎ１は，重合度を表わし，２〜５０００の範囲内が好ましく，５〜５００の範囲内がさらに好ましい。
・・・（中略）・・・
【００５５】
上記一般式（１−１）及び（１−２）において，Ｒ１及びＲ３は２価の有機鎖であるが，下記の構造式群（５）で表されるいずれか一つ，又は，その組み合わせの有機鎖であることが好ましい。
・・・（中略）・・・
【００５７】
・・・（中略）・・・
上記Ｒ１及びＲ３のより好ましい，具体例としては，下記の構造式群（６）で表される有機鎖が挙げられる。
【００５８】
【化７】　　　　　　　　　　　　　　　　　　　　　　　　　　　　　
【００５９】
上記一般式（１−１）において，Ｚは，２価の鎖又は直接結合していることを表す。該２価の鎖としては，例えば，下記構造式群（７）（構造式（７−１）〜（７−１３））で表される鎖であることが好ましい。
【００６０】
【化８】　　　　　　　　　　　　　　　　　　　　　　　　　　　　　
【００６１】
（式中，Ｘは，炭素数１〜５０の２価の有機鎖である。）
上記Ｘは，例えば，構造式群（６）で表される有機鎖が挙げられ，その中でもジフェニルエーテル鎖，ビスフェノールＡ鎖，ビスフェノールＦ鎖，フルオレン鎖が好ましい。
・・・（中略）・・・
【００６７】
（３）ポリイミド樹脂
上記ポリイミド樹脂としては，透明性を有し，イミド結合を有する化合物であれば限定されないが，下記式（３）：
【００６８】
【化９】　　　　　　　　　　　　　　　　　　　　　　　　　　　　　
【００６９】
（式中，ｎ３は０〜４の整数，ｐ３は０又は１であり，ｎ３＋ｐ３は１〜５の整数である。）で表される繰り返し単位を含むポリイミド樹脂であることが好ましい。
・・・（中略）・・・
【００８３】
〔光選択透過層〕
以下，本発明の光選択透過層について，説明する。
上記
光選択透過層としては，
無機多層膜が好ましい
【００８４】
上記
無機多層膜としては，誘電体層Ａと，誘電体層Ａが有する屈折率よりも高い屈折率を有する誘電体層Ｂとを交互に積層した誘電体多層膜が好適である。
〈誘電体層Ａ〉
上記
誘電体層Ａを構成する材料としては，
上記材料としては，例えば，
シリカ
が好適
【００８５】
〈誘電体層Ｂ〉
誘電体層Ｂを構成する材料としては，
上記材料としては，例えば，
酸化チタン
が好適である。
・・・（中略）・・・
【００８７】
上記誘電体層Ａ及び誘電体層Ｂの各層の厚みは，通常，遮断しようとする光の波長λ（ｎｍ）の０．１λ〜０．５λの厚みである。厚みが上記範囲外になると，屈折率（ｎ）と膜厚（ｄ）との積（ｎ×ｄ）がλ／４で算出される光学的膜厚と大きく異なって反射・屈折の光学的特性の関係が崩れてしまい，特定波長の遮断・透過をするコントロールができなくなるおそれがある。
【００８８】
上記誘電体多層膜の積層数は，透明基板の一方の面にのみ上記誘電体多層膜を有する場合は，通常１０〜８０層の範囲で，好ましくは２５〜５０層の範囲である。一方，透明基板の両面に上記誘電体層膜を有する場合は，上記誘電体層の積層数は，基板両面の積層数全体として，通常１０〜８０層の範囲であり，好ましくは２５〜５０層の範囲である。
【００８９】
本発明の光選択透過フィルターは，光の透過率を選択的に低減するものである。このような
光選択透過フィルターにおいて，所望の波長の光をカットする機能は，上述したように，多層膜を形成する形態であることが好適であるが，その他の形態を有していてもよい。
例えば，
（３）基材に赤外線をカットする機能を持つ材料（原料）を用いる形態等が好適である。その他の波長を選択的に低減する場合でも同様であり，このような形態を用いることで，多層膜（多層蒸着層）の積層数を低減できたり省略したりすることができ，光選択透過フィルターの膜厚を薄くできる。
【００９０】
・・・（中略）・・・
上記（３）
基材に赤外線をカットする機能を持つ材料（原料）を用いる形態としては，基材が有機材料（例えば，樹脂組成物）である場合は，樹脂組成物に上記酸化物や色素を練り込んでフィルム状に成型する方法が好適である。
・・・（中略）・・・
【００９５】
また，本発明に係る
光選択透過フィルターは，上記基材の両面に上記誘電体多層膜からなる光選択透過層を有するものであってもよい。
このような特徴を有することにより，本発明に係る光選択透過フィルターは，反りや誘電多層膜の割れが少なくなる。また，光選択透過フィルターの曲げ強度を向上させ，反りを少なくする観点からは，光選択透過フィルターは，厚みが１〜１０μｍである光選択透過層を有することが好ましい。
・・・（中略）・・・
【００９９】
〔光選択透過フィルターの用途〕
本発明の光選択透過フィルターとしては，赤外カットフィルター，紫外カットフィルター，紫外線・赤外線カットフィルター等が挙げられる。本発明に係る赤外カットフィルターは，優れた赤外線カット能を有し，割れにくい。したがって
自動車や建物などのガラスなどに装着される熱線カットフィルターなどとして有用である
デジタルスチルカメラや携帯電話用カメラなどのＣＣＤやＣＭＯＳなどの固体撮像素子の視感度補正に有用である。
撮像レンズ用における光ノイズを遮断するためのフィルターとして有用である。
　ｅ　「【発明の効果】
【０１００】
本発明の光選択透過フィルターは，上述の構成よりなり，光を選択的に遮断し，可視光等の特定波長の透過率が高く，しかも充分に薄く，耐熱性に優れた光選択透過フィルターであり，オプトデバイス用途，表示デバイス用途，機械部品，電気・電子部品等の様々な用途に好適に用いられるものである。」
　ｆ　「【０１０１】
以下に実施例を掲げて本発明を更に詳細に説明するが，本発明はこれらの実施例のみに限定されるものではない。なお，特に断りのない限り，「部」は「重量部」を，「％」は「質量％」を意味するものとする。
【０１０２】
１．基材
（１）ＦＰＥＫフィルムの作成
＜ＦＰＥＫの合成＞
温度計，冷却管，ガス導入管，及び，攪拌機を備えた反応器に，ＢＰＤＥ（４，４′−ビス（２，３，４，５，６−ペンタフルオロベンゾイル）ジフェニルエーテル）　１６．７４部，ＨＦ（９，９−ビス（４−ヒドロキシフェニル）フルオレン）　１０．５部，炭酸カリウム　４．３４部，ＤＭＡｃ（ジメチルアセトアミド）　９０部を仕込んだ。この混合物を８０℃に加温し，８時間反応した。反応終了後，反応溶液をブレンダーで激しく攪拌しながら，１％酢酸水溶液中に注加した。析出した反応物を濾別し，蒸留水及びメタノールで洗浄した後，減圧乾燥して，フッ素化芳香族ポリマーを得た。反応式を下記に示す。
【０１０３】
【化１４】　　　　　　　　　　　　　　　　　　　　　　　　　　　　
【０１０４】
上記ポリマーのガラス転移点温度（Ｔｇ）は２４２℃，数平均分子量（Ｍｎ）が７０７７０，表面抵抗値は１．０×１０
１８
Ω／ｃｍ
２
以上であった。
＜基材の形成＞
溶剤キャスト法により５０μｍのフィルム（以下，ＦＰＥＫフィルムと言う。）を得た。
酢酸エチルとトルエンの混合溶媒を用いた。
・・・（中略）・・・
【０１１３】
２．基材の物性評価
上記
基材（１）
すべての基材において５００ｎｍ透過率が８０％以上であり，良好な透明性を示した。・・・（中略）・・・
【０１１５】
【表１】　　　　　　　　　　　　　　　　　　　　　　　　　　　　　
【０１１６】
３．光選択透過フィルターの作成
＜光選択透過層の形成＞
一辺が６０ｍｍの
基材の両面に，蒸着基板温度１８０℃で赤外線を反射する多層膜〔シリカ（ＳｉＯ
２
：膜厚１２０〜１９０ｎｍ）層とチタニア（ＴｉＯ
２
：膜厚７０〜１２０ｎｍ）層とが交互に積層されてなるもの，積層数は片面２５層ずつ両面に蒸着：計５０層〕を蒸着により形成し，光選択透過フィルター（光学フィルター）を製造した。
４．光選択透過フィルターの評価
＜透過率の測定＞
この光学フィルターの分光透過率曲線を測定した。基材としてＦＰＥＫを用いた場合の結果を図４に示す。
図４のグラフの横軸は波長，縦軸は透過率を示すが，このグラフから明らかなように，
波長４００〜６００ｎｍの可視域における透過率は約８５％以上，また波長７５０〜１０００ｎｍの近赤外域における透過率は５％以下であり
（分光透過率測定）
Ｓｈｉｍａｄｚｕ　ＵＶ−３１００（島津製作所製）を用いて３００〜１０００ｎｍにおける透過率を測定した。
・・・（中略）・・・
【０１１８】
【表２】　　　　　　　　　　　　　　　　　　　　　　　　　　　　　
【０１１９】
（２６０℃耐熱評価）
上記基材（１）〜（８−２）及び（１０）を用いて作製した光選択透過フィルターについて，以下の方法により耐熱性を評価した。・・・（中略）・・・
（曲げ試験）
上記基材（１）〜（８−２）及び（１０）を用いて作製した光選択透過フィルターについて，強度を曲げ試験により評価した。・・・（中略）・・・
光選択透過フィルターの厚み
【０１２０】
上述した実施例及び比較例では，ＦＰＥＫフィルム，ＰＥＮフィルム，ポリイミドフィルム，フッ素化ポリイミドフィルム，ＰＦＡフィルム，エポキシ樹脂及びガラスフィルムからなる群より選ばれる少なくとも一つを含む基材を用いて光選択透過フィルターを調製しているが，厚みが２００μｍ未満である限り，光の透過率を選択的に低減することができるようなものであれば，光路を短縮し，光学部材を小さくする機構は同様である。したがって，赤外線の透過率を選択的に低減し，厚みが２００μｍ未満であれば，本発明の有利な効果を発現することは確実であるといえる。また，基材を耐リフロー性のフィルムとすることにより，フィルターの厚みが２００μｍ未満であっても，耐熱性に優れるフィルターとなる。更に，例えば，（２−１）及び（２−２）の２６０℃耐熱評価による結果で示されるように，フィルターの厚みが３０μｍ以上であることが，２６０℃耐熱性に優れる点で好ましい。そして，少なくとも，フッ素化芳香族ポリマー，多環芳香族ポリマー，ポリイミド樹脂，含フッ素高分子化合物，エポキシ樹脂及びガラスフィルムからなる群より選ばれる少なくとも一つを含む基材を用いて光選択透過フィルターを調製する場合においては，上述した実施例及び比較例で充分に本発明の有利な効果が立証され，本発明の技術的意義が裏付けられている。」
　ｇ　「【図面の簡単な説明】
【０１２１】
【図１】図１は，カメラモジュールの構成を示す断面模式図である。
・・・（中略）・・・
【図４】図４は，光選択透過フィルターの分光透過率曲線を示す図である。
・・・（中略）・・・
【図１】　　　　　　　　　　　　　　　　　　　　　　　　　　　　　
・・・（中略）・・・
【図４】　　　　　　　　　　　　　　　　　　　　　　　　　　　　　
」
（イ）甲３の記載から把握される発明
　前記（ア）ｆの記載から，実施例１の「光選択透過フィルター」に対応する発明及び当該実施例１の「光選択透過フィルター」に用いている「基材（１）」に対応する発明を把握でき，さらに，前記（ア）ｄの【０００９】の記載から，レンズと前記実施例１の「光選択透過フィルター」とシーモスセンサーとを有する「カメラモジュール」に対応する発明を把握できるところ，前記（ア）ｆの【０１１８】の表２には，実施例１の「光選択透過フィルターの厚み（μｍ）」が「５５」であることが示され，実施例１の「光選択透過フィルター」の分光透過率曲線を示す図４（前記（ア）ｇ）から，少なくとも３００ないし３５０ｎｍの波長範囲内のいずれの波長においても透過率が略ゼロであることを看取でき，前記（ア）ｄの【００４４】及び【００９９】の記載から，実施例１の「光選択透過フィルター」が，自動車や建物などのガラスなどに装着される熱線カットフィルターや，固体撮像素子の視感度補正用フィルターや，撮像レンズ用における光ノイズを遮断するためのフィルターとして有用なことを把握できるから，前記各発明の構成は次のとおりのものと認められる。
「温度計，冷却管，ガス導入管，及び，攪拌機を備えた反応器に，ＢＰＤＥ（４，４′−ビス（２，３，４，５，６−ペンタフルオロベンゾイル）ジフェニルエーテル）１６．７４部，ＨＦ（９，９−ビス（４−ヒドロキシフェニル）フルオレン）１０．５部，炭酸カリウム４．３４部，ＤＭＡｃ（ジメチルアセトアミド）９０部を仕込み，この混合物を８０℃に加温し，８時間下記反応式に示される反応をさせ，反応終了後，反応溶液をブレンダーで激しく攪拌しながら，１％酢酸水溶液中に注加し，析出した反応物を濾別し，蒸留水及びメタノールで洗浄した後，減圧乾燥することによって得られたフッ素化芳香族ポリマー（ガラス転移点温度（Ｔｇ）２４２℃，数平均分子量（Ｍｎ）７０７７０，表面抵抗値１．０×１０１８Ω／ｃｍ２以上）を，酢酸エチルとトルエンの混合溶媒を用いて溶剤キャスト法により５０μｍ厚のＦＰＥＫフィルムとし，当該ＦＰＥＫフィルムを基材（１）として，基材（１）の両面に，膜厚が１２０〜１９０ｎｍのシリカ層と膜厚が７０〜１２０ｎｍのチタニア層とが交互に片面２５層ずつ積層されてなり，赤外線を反射する多層膜を，蒸着基板温度１８０℃で蒸着した，光選択透過フィルターであって，
　厚みが５５μｍであり，
　波長４００〜６００ｎｍにおける透過率が約８５％以上であり，波長７５０ないし１０００ｎｍにおける透過率が５％以下であり，少なくとも，波長３００ないし３５０ｎｍの範囲内のいずれの波長においても透過率が略ゼロであり，
　自動車や建物などのガラスなどに装着される熱線カットフィルターや，固体撮像素子の視感度補正用フィルターや，撮像レンズにおける光ノイズを遮断するためのフィルターとして有用な，
　光選択透過フィルター。
［反応式］　　　　　　　　　　　　　　　　　　　　　　　　　　　　
」（以下，「甲３光選択透過フィルター発明」という。）
「甲３光選択透過フィルター発明に用いられる基材（１）。」（以下，「甲３基材発明」という。）
「レンズと，甲３光選択透過フィルター発明と，シーモスセンサーと，を有するカメラモジュール。」（以下，「甲３カメラモジュール発明」という。）
　イ　甲４
（ア）甲４の記載
　甲４（特開平９−２７９１２５号公報）は，本件特許の優先権主張の日（以下，「本件優先日」という。）より前に頒布された刊行物であるところ，当該甲４には，次の記載がある。（下線は，後述する「甲４技術事項」の認定に特に関係する箇所を示す。）
　ａ　「【０００１】
【発明の属する技術分野】
本発明は，近赤外吸収色素を含む近赤外線吸収フィルムおよび近赤外線吸収板等の近赤外線吸収部材と，これに赤外線反射層を設けた熱線遮断部材
に関し，特にフタロシアニン系色素を用いたものに関する。
【０００２】
【従来の技術】近年，省エネルギー等の観点から，
熱線遮断の目的で，近赤外線吸収フィルムや近赤外線吸収板
半導体受光素子の赤外線カットフィルター等への利用が知られている。
【０００３】
このような赤外線吸収部材は，一般にプラスチック等の基板に近赤外線吸収色素を溶媒に溶解させコーティングする
近赤外線吸収色素と樹脂を加熱混練させて
作製する
色素には，溶剤や樹脂に対する溶解性が要求される。
色素自身の高い耐光性も要求される。
【０００４】近赤外線吸収色素を用いた近赤外線吸収フィルム等の近赤外線部材については種々の提案があり，例えば特開平３−６２８７８号等には，フタロシアニン環に置換基を有するフタロシアニン化合物は樹脂への相溶性がよく，近赤外線吸収フィルムあるいはフィルター用の近赤外線吸収色素として優れていることが記載されている。
【０００５】また，特開平６−１９４５１７号には，フタロシアニン類やアントラキノン類を近赤外線吸収色素として含有し，赤外線反射積層体を備えた熱線遮断シートが開示されている。また，特開平６−２１４１１３号には，熱分解温開始温度２５０℃以上のフタロシアニン類あるいはナフタロシアニン類やアントラキノン類を近赤外線吸収色素として含有し，この色素とプラスチックとを２５０〜３５０℃の温度で混練し，成形して得られる近赤外線吸収フィルムおよびこのフィルムと赤外線反射層あるいは赤外線反射フィルムとを組み合わせた熱線遮断シートが開示されている。・・・（中略）・・・
【０００６】
以上のように，近赤外線吸収色素としてフタロシアニン系色素が好ましく用いられているが，
【０００７】しかし，
このようなフタロシアニン系色素は，合成が容易でなく収率も比較的低く，また置換基の炭素数が増し，かつ分岐数が増すにつれ，融点が低くなる傾向があるため，熱的安定性が悪くなりやすく，温度変化の激しい屋外での使用においては近赤外線を吸収する能力が劣化してしまうという問題がある。
【０００８】
【発明が解決しようとする課題】
本発明の目的は，野外のような温度変化の激しいところで使用しても機能の劣化がなく，ヒートサイクル特性に優れ，安定な近赤外線吸収部材および熱線遮断部材
を提供することである。
【０００９】
【課題を解決するための手段】このような目的は，下記（１）〜（１０）の特定事項によって達成される。
（１）
下記式（Ｉ）で表わされるフタロシアニン系色素を含有する近赤外線吸収部材
【００１０】
【化２】　　　　　　　　　　　　　　　　　　　　　　　　　　　　　
【００１１】
［式（Ｉ）において，Ｘ
１
，Ｘ
２
，Ｘ
３
，Ｘ
４
，Ｘ
５
，Ｘ
６
，Ｘ
７
，Ｘ
８
，Ｘ
９
，Ｘ
１０
，Ｘ
１１
，Ｘ
１２
，Ｘ
１３
，Ｘ
１４
，Ｘ
１５
およびＸ
１６
は各々水素原子または一価の置換基を表わし，Ｘ
１
，Ｘ
４
，Ｘ
５
，Ｘ
８
，Ｘ
９
，Ｘ
１２
，Ｘ
１３
およびＸ
１６
のうちの少なくとも１個は，水素原子よりカサ高い一価の置換基を有する芳香環式基もしくは脂環式基が結合したオキシ基またはチオ基を表わす。Ｍはフタロシアニン環の中心原子を表わす。］
・・・（中略）・・・
（５）フィルム状または板状である上記（１）〜（４）のいずれかの近赤外線吸収部材。
・・・（中略）・・・
（８）さらに赤外線反射層を有する上記（１）〜（７）のいずれかの熱線遮断部材。」
　ｂ　「【００１４】
【発明の実施の形態】以下，本発明の実施の形態について詳細に説明する。
【００１５】本発明の近赤外線吸収部材は，式（Ｉ）［前記化２に掲載］で表わされるフタロシアニン系色素を含有する。
【００１６】式（Ｉ）について説明すると，式（Ｉ）において，Ｘ１〜Ｘ１６は各々水素原子または一価の置換基を表わし，Ｘ１，Ｘ４，Ｘ５，Ｘ８，Ｘ９，Ｘ１２，Ｘ１３およびＸ１６のうち少なくとも１個は，水素原子よりカサ高い一価の置換基を有する芳香環式基もしくは脂環式基が結合したオキシ基またはチオ基を表わす。
・・・（中略）・・・
【００５２】
式（Ｉ）において，Ｍで表わされる中心原子としては，
特にはＣｕ等が経時安定性の点で好ましい。
・・・（中略）・・・
【００５４】
式（Ｉ）で表わされるフタロシアニン系色素のなかでも，下記式（ＩＩ）で表わされるものおよび下記式（ＩＩＩ）で表わされるものが好ましい。
【００５５】
【化３】　　　　　　　　　　　　　　　　　　　　　　　　　　　　　
【００５６】
【化４】　　　　　　　　　　　　　　　　　　　　　　　　　　　　　
【００５７】
式（ＩＩ）において，Ｘ
２１
，Ｘ
２２
およびＸ
２３
は各々水素原子または一価の置換基であり，
Ｙは酸素原子または硫黄原子を表わし，
Ｒ
２１
，Ｒ
２２
，Ｒ
２３
，Ｒ
２４
およびＲ
２５
は水素原子または一価の置換基を表わし，これらのうち少なくとも１個は水素原子よりカサ高い一価の置換基Ａ
１
である。
【００５８】式（ＩＩＩ）において，Ｒ３１，Ｒ３２，Ｒ３３，Ｒ３４，Ｒ３５，Ｒ４１，Ｒ４２，Ｒ４３，Ｒ４４およびＲ４５は各々水素原子または一価の置換基であり，式（ＩＩ）のＲ２１〜Ｒ２４と同義のものである。Ｘ３１，Ｘ３２およびＸ３３は式（ＩＩ）のＸ２１，Ｘ２２およびＸ２３と同義のものである。ＹおよびＭは各々式（ＩＩ）のものと同義のものである。Ｒ３１〜Ｒ３５，Ｒ４１〜Ｒ４５は，Ｒ３１（またはＲ４１），Ｒ３５（またはＲ４５）のうちのいずれかが分岐アルキル基を有する基であることが好ましい。
【００５９】
本発明に用いるフタロシアニン系色素の好適例を以下に示す
以下では式（ＩＩ），式（ＩＩＩ）の表示を用いて示している。
【００６０】
【化５】　　　　　　　　　　　　　　　　　　　　　　　　　　　　　
・・・（中略）・・・
【００６６】
【化１１】　　　　　　　　　　　　　　　　　　　　　　　　　　　　
・・・（中略）・・・
【００７２】式（Ｉ）のフタロシアニン系色素はＥＰ６７５４８９号に記載の方法で合成することができる。
【００７３】
これらの色素の融点（ｍｐ）は１００〜５００℃であり，λｍａｘ（トルエン中）は６００〜８００ｎｍの範囲にある。また，熱分解開始温度は１２０〜５００℃程度である。
【００７４】このような色素は，１種のみを用いても，２種以上を併用してもよい。
【００７５】本発明の近赤外線吸収部材は，フィルム状，板状等，目的・用途に応じ種々の形状で用いられる。
【００７６】
近赤外線吸収フィルムは，
色素とプラスチックとを混練して成形して得ることができる。
【００７７】本発明に使用されるプラスチックとしては，ポリエチレンテレフタレート，ポリカーボネート，ポリスルホン，ポリエーテルスルホン，ポリアミド，ポリイミド等の透明性が高く，かつ耐候性の高いものが挙げられる。特に好ましいのは，ポリエチレンテレフタレートあるいはポリカーボネートである。本発明の近赤外線吸収フィルムは，これらのプラスチックの粉体あるいはペレットに，式（Ｉ）のフタロシアニン系色素を混合し，２００〜４００℃に加熱，溶解させて，押し出し機によりフィルム化するか，あるいは，押し出し機により原反を作製し，６０〜９０℃で２〜５倍に，１軸ないしは２軸に延伸して１０〜２００μｍ厚のフィルムにする方法で得られる。なお，混練する際に紫外線吸収色素等を加えてもよい。
【００７８】この場合のフタロシアニン系色素／プラスチックの重量比は１／１０００〜１／１０とすればよい。
【００７９】また，
キャスティング法によって１０〜３００μｍ厚フィルムとしてもよい。
この場合の色素／プラスチックの重量比は１／１０００〜１／１０とすればよい。
・・・（中略）・・・
【００８４】
本発明の近赤外線吸収部材は赤外線反射層と組み合わせて熱線遮断部材としてもよい。
フィルム状とするときは，近赤外線吸収フィルムと組み合わせればよい。
【００８５】
赤外線反射層は金属酸化物層と金属層を，金属酸化物層から順に交互に積層した層であり，
【００８６】
近赤外線吸収フィルムに赤外線反射層を組み合わせる方法としては
金属あるいは金属酸化物を，近赤外線吸収フィルム上に１０
−１
〜１０
−７
ｔｏｒｒで，スパッタリング，真空蒸着，イオンプレーティング等の方法で積層する
【００８９】このようにして得られる熱線遮断フィルムの厚さは１０〜５００μｍ程度であり，熱線遮断板の厚さは０．５〜１０ｍｍ程度である。
・・・（中略）・・・
【００９２】
本発明の近赤外線吸収部材および熱線遮断部材は，温度変化の激しい環境下においても，その特性の劣化がない。
　ｃ　「【００９３】
【実施例】以下，本発明を実施例によって説明する。
実施例１
ポリエチレンテレフタレート（ＰＥＴ）ペレットと色素Ｎｏ．１とを重量比１００：１の割合で混合し，２７０〜２８０℃で加熱，溶解し押し出し機で７０μｍ厚の近赤外線吸収フィルムを作製した。
色素Ｎｏ．１はトルエン中のλｍａｘは７０５．５ｎｍ，ｍｐ２８５〜２９０℃，熱分解開始温度４２０℃である。
【００９４】このフィルムＮｏ．１を，分光光度計で測定し，ＪＩＳ−Ｒ−３１０６に従って，ＴｖおよびＴｅを計算したところ，Ｔｖは７８％，Ｔｅは４７％であった。
【００９５】フィルムＮｏ．１において，色素Ｎｏ．１のかわりに，比較色素ａ［式（Ｉ）において，Ｘ１＝Ｘ５＝Ｘ９＝Ｘ１３＝−Ｏ−ＣＨ−［ＣＨ（ＣＨ３）２］２，Ｘ２＝Ｘ３＝Ｘ４＝Ｘ６＝Ｘ７＝Ｘ８＝Ｘ１０＝Ｘ１１＝Ｘ１２＝Ｘ１４＝Ｘ１５＝Ｘ１６＝Ｈ，Ｍ＝Ｃｕ］を用いるほかは同様にしてフィルムＮｏ．２を作製した。この比較色素ａのトルエン中のλｍａｘは７１２．０ｎｍであり，ｍｐは２７３〜２７４℃，熱分解開始温度は３４５℃である。
【００９６】このフィルムＮｏ．２についてフィルムＮｏ．１と同様に，Ｔｖ，Ｔｅを計算したところ，Ｔｖは７９％，Ｔｅは３４％であった。
【００９７】フィルムＮｏ．１，Ｎｏ．２について，
８０℃〜−２０℃の温度で温度を変化させるヒートサイクル試験を行った。この場合の温度変化のサイクルは８０℃→−２０℃→８０℃でワンサイクルとし，ワンサイクルを２時間かけて行った。ヒートサイクル試験の特性評価は，色素残存率（％）を求めることによった。色素残存率（％）は，試験フィルムのλｍａｘにおける初期の透過率Ｔ
０
（％）とサイクル試験後の透過率Ｔ（％）とから，
【００９８】
（１００−Ｔ）×１００／（１００−Ｔ
０
）に従って算出した。
【００９９】結果を図１に示す。
【０１００】図１より，式（Ｉ）のフタロシアニン系色素を用いたフィルムＮｏ．１の方がフィルムＮｏ．２に比べて
ヒートサイクル試験において１０００回後も５％以下の劣化しかなく
【０１０１】実施例２
実施例１で作製したフィルムＮｏ．１上にスパッタリングにより１０００Åの酸化ケイ素層と２００ÅのＡｕ層とをこの順に設け，これを赤外線反射層とし，熱線遮断フィルム
ヒートサイクル試験を行ったところ，１０００回後の劣化は５％以下であった。
・・・（中略）・・・
【０１０３】実施例４
実施例１において，ＰＥＴペレットのかわりにポリカーボネート（ＰＣ）ペレットを用いるほかは同様にして近赤外線吸収フィルムＮｏ．３を得た。
ヒートサイクル試験では１０００回後においても５％以下の劣化しか示さなかった。
【０１０４】また，
フィルムＮｏ．３を用いて実施例２
と同様にして熱線遮断フィルムまたはシートを作製し
【０１０５】
これらの熱線遮断フィルム，熱線遮断シートについても実施例１と同様のヒートサイクル試験を行ったが，１０００回後においても５％以下の劣化しか示さなかった。
・・・（中略）・・・
【０１１１】
実施例１〜５において，色素Ｎｏ．１のかわりに，以下の色素を用いて，各実施例に対応したサンプルを作製し，同様に特性を評価したところ，各実施例に対応して同様の結果が得られた。また実施例１と同様のヒートサイクル試験では１０００回後においても５％以下の劣化しかなかった。
【０１１２】
　
色素Ｎｏ．　λ
ｍａｘ
 （トルエン中）　　ｍｐ　　　　熱分解開始温度
　　　
４　　　７０３．０ｎｍ　　　３２０〜３２３℃　　　　４４５℃
　　　
６　　　７０２．５ｎｍ　　　３２１〜３２２℃　　　　４４８℃
　
１５５　　　７０９．５ｎｍ　　　２６０〜２６２℃　　　　３２０℃
　１５６　　　６９９．０ｎｍ　　　２５２〜２５６℃　　　　３１２℃」
　ｃ　「【０１１３】
【発明の効果】
本発明によれば，ヒートサイクル特性に優れた近赤外線吸収部材および熱線遮断部材が得られる。したがって，寒暖の激しい屋外での長期使用に適したものとなる。
　ｄ　「【図面の簡単な説明】
【図１】ヒートサイクル試験の結果を示すグラフである。
【図１】　　　　　　　　　　　　　　　　　　　　　　　　　　　　　
」
（イ）甲４に記載された技術事項
　甲４の【０１００】の「ヒートサイクル試験において１０００回後も５％以下の劣化しかなく」という記載や，当該記載と同様の表現が，色素残存率が９５％以上であることを指していることは，文脈や図１から明らかであるから，前記（ア）ａないしｄで摘記した記載から，甲４に次の技術事項が記載されていると認められる。
「近赤外線吸収フィルムや近赤外線吸収板等の近赤外線吸収部材は，熱線遮断の目的で用いられたり，半導体受光素子の赤外線カットフィルター等に利用されたりするものであり，このような近赤外線吸収部材は，一般に，プラスチック等の基板に近赤外線吸収色素を溶媒に溶解させコーティングする方法や，近赤外線吸収色素と樹脂を加熱混練させる方法で作製されるため，前記近赤外線吸収色素には，溶剤や樹脂に対する溶解性が要求され，また，主に野外で使用されるので色素自身の高い耐光性も要求されるところ，このような近赤外線吸収色素として，従来，フタロシアニン系色素が好ましく用いられていたが，従来提案されていたフタロシアニン系色素には，合成が容易でなく収率も比較的低く，また，置換基の炭素数が増しかつ分岐数が増すにつれ融点が低くなる傾向があるため熱的安定性が悪くなりやすく，温度変化の激しい屋外での使用においては近赤外線を吸収する能力が劣化してしまうという問題があるが，
　前記近赤外線吸収色素として，下記式（Ｉ）で表わされるフタロシアニン系色素を用いると，温度変化の激しい環境下においてもその特性の劣化のない，すなわちヒートサイクル特性に優れた，寒暖の激しい屋外での長期使用に適する近赤外線吸収部材とすることができ，その中でも特に，Ｍで表される中心原子がＣｕである色素を用いたものが，経時安定性の点で好ましく，
　当該式（Ｉ）で表わされるフタロシアニン系色素を含有する近赤外線吸収フィルムは，フタロシアニン系色素とプラスチックとを混練して成形して得ることができるほか，フタロシアニン系色素／プラスチックの重量比を１／１０００〜１／１０にして，キャスティング法によって，１０〜３００μｍ厚フィルムとして製造することができ，当該近赤外線吸収フィルムは，その上に赤外線反射層を積層して熱線遮断部材とすることができ，前記赤外線反射層は，金属酸化物層と金属層を，金属酸化物層から順に交互に積層したものであって，各層は１０−１〜１０−７ｔｏｒｒで，スパッタリング，真空蒸着，イオンプレーティング等の方法で積層することができ，
　例えば，下記色素Ｎｏ．１（トルエン中のλｍａｘが７０５．５ｎｍ，融点（ｍｐ）が２８５〜２９０℃，熱分解開始温度が４２０℃），下記色素Ｎｏ．４（トルエン中のλｍａｘが７０３．０ｎｍ，融点（ｍｐ）が３２０〜３２３℃，熱分解開始温度が４４５℃），下記色素Ｎｏ．６（トルエン中のλｍａｘが７０２．５ｎｍ，融点（ｍｐ）が３２１〜３２２℃，熱分解開始温度が４４８℃），及び下記色素Ｎｏ．１５５（トルエン中のλｍａｘが７０９．５ｎｍ，融点（ｍｐ）が２６０〜２６２℃，熱分解開始温度が３２０℃）については，ポリエチレンテレフタレート（ＰＥＴ）及びポリカーボネート（ＰＣ）のいずれかと，前記色素のいずれかとを，重量比１００：１の割合で混合し，２７０〜２８０℃で加熱，溶解し，押し出し機で作成した７０μｍ厚の近赤外線吸収フィルム，並びに当該近赤外線吸収フィルム上にスパッタリングにより１０００Åの酸化ケイ素層と２００ÅのＡｕ層とをこの順に設けて赤外線反射層とした熱線遮断フィルムは，いずれも，８０℃→−２０℃→８０℃という温度変化をワンサイクルとして，ワンサイクルを２時間かけて行うヒートサイクル試験を１０００回行ったときの，「（１００−Ｔ）×１００／（１００−Ｔ０）」（Ｔ０は試験フィルムのλｍａｘにおける初期の透過率（％），Ｔはサイクル試験後の透過率（％））で算出される色素残存率（％）が，９５％以上になること。
［式（Ｉ）］　　　　　　　　　　　　　　　　　　　　　　　　　　
（式中，Ｘ１，Ｘ２，Ｘ３，Ｘ４，Ｘ５，Ｘ６，Ｘ７，Ｘ８，Ｘ９，Ｘ１０，Ｘ１１，Ｘ１２，Ｘ１３，Ｘ１４，Ｘ１５およびＸ１６は各々水素原子または一価の置換基を表わし，Ｘ１，Ｘ４，Ｘ５，Ｘ８，Ｘ９，Ｘ１２，Ｘ１３およびＸ１６のうちの少なくとも１個は，水素原子よりカサ高い一価の置換基を有する芳香環式基もしくは脂環式基が結合したオキシ基またはチオ基を表わす。Ｍはフタロシアニン環の中心原子を表わす。）
［色素Ｎｏ．１］
下記式（ＩＩ）において，ＭがＣｕであり，ＹがＯであり，Ｒ２１及びＲ２３がｔｅｒｔ−Ｃ４Ｈ９であり，Ｒ２２，Ｒ２４，Ｒ２５，Ｘ２１，Ｘ２２，Ｘ２３がいずれもＨである色素。
［色素Ｎｏ．４］
下記式（ＩＩ）において，ＭがＣｕであり，ＹがＯであり，Ｒ２１がｔｅｒｔ−Ｃ４Ｈ９であり，Ｒ２２，Ｒ２３，Ｒ２４，Ｒ２５，Ｘ２１，Ｘ２２，Ｘ２３がいずれもＨである色素。
［色素Ｎｏ．６］
下記式（ＩＩ）において，ＭがＣｕであり，ＹがＯであり，Ｒ２１がｓｅｃ−Ｃ４Ｈ９であり，Ｒ２２，Ｒ２３，Ｒ２４，Ｒ２５，Ｘ２１，Ｘ２２，Ｘ２３がいずれもＨである色素。
［式（ＩＩ）］　　　　　　　　　　　　　　　　　　　　　　　　　　
（式中，Ｘ２１，Ｘ２２およびＸ２３は各々水素原子または一価の置換基であり，Ｙは酸素原子または硫黄原子を表わし，Ｒ２１，Ｒ２２，Ｒ２３，Ｒ２４およびＲ２５は水素原子または一価の置換基を表わし，これらのうち少なくとも１個は水素原子よりカサ高い一価の置換基Ａ１である。）
［色素Ｎｏ．１５５］
下記式（ＩＩＩ）において，ＭがＣｕであり，ＹがＯであり，Ｒ３１がｔｅｒｔ−Ｃ４Ｈ９であり，Ｒ３２，Ｒ３３，Ｒ３４，Ｒ３５，Ｒ４１，Ｒ４２，Ｒ４３，Ｒ４４，Ｒ４５，Ｘ３１，Ｘ３２，Ｘ３３がいずれもＨである色素。
［式（ＩＩＩ）］　　　　　　　　　　　　　　　　　　　　　　　　　
（式中，Ｒ３１，Ｒ３２，Ｒ３３，Ｒ３４，Ｒ３５，Ｒ４１，Ｒ４２，Ｒ４３，Ｒ４４およびＲ４５は各々水素原子または一価の置換基であり，式（ＩＩ）のＲ２１〜Ｒ２４と同義のものである。Ｘ３１，Ｘ３２およびＸ３３は式（ＩＩ）のＸ２１，Ｘ２２およびＸ２３と同義のものである。ＹおよびＭは各々式（ＩＩ）のものと同義のものである。）」（以下，「甲４技術事項」という。）
（２）本件訂正発明１について
　ア　本件訂正発明１と甲３光選択透過フィルター発明の対比
（ア）　甲３光選択透過フィルター発明の「『ＦＰＥＫフィルム』からなる『基材（１）』」，「赤外線を反射する多層膜」，「光選択透過フィルター」及び「フッ素化芳香族ポリマー」は，本件訂正発明１の「樹脂シート」，「赤外線反射膜」，「光選択透過フィルター」及び「樹脂成分」にそれぞれ対応する。
（イ）　甲３光選択透過フィルター発明は，「基材（１）」（本件訂正発明１の「樹脂シート」に対応する。以下，「ア　本件訂正発明１と甲３光選択透過フィルター発明の対比」欄において，「」で囲まれた甲３光選択透過フィルター発明の構成に付した（）中の文言は，当該構成に対応する本件訂正発明１の発明特定事項を指す。）の両面に「赤外線を反射する多層膜」（赤外線反射膜）を形成した「光選択透過フィルター」（光選択透過フィルター）であるから，本件訂正発明１の「樹脂シートと，その少なくとも一方の表面に形成されてなる赤外線反射膜とを含む光選択透過フィルター」であるとの発明特定事項に相当する構成を具備している。
（ウ）　甲３光選択透過フィルター発明の「基材（１）」（樹脂シート）は，フッ素化芳香族ポリマーにより形成されたものであるから，「樹脂層」であるといえる。
　したがって，甲３光選択透過フィルター発明の「基材（１）」は，本件訂正発明１の「樹脂シート」と，「樹脂層を有」する点で共通する。
（エ）　甲３光選択透過フィルター発明の「基材（１）」（樹脂層）は，酢酸エチルとトルエンの混合溶媒を用いて，溶剤キャスト法によりＦＰＥＫフィルムとしたものであるから，「溶剤可溶性」であることは明らかである。
　また，前記溶剤キャスト法によりＦＰＥＫフィルムを作成する際に用いる「酢酸エチルとトルエンの混合溶媒」に「フッ素化芳香族ポリマー」を溶解させた溶液は，本件訂正発明１の「色素と樹脂成分を混合して得られる樹脂組成物」と「樹脂成分を含有する樹脂組成物」である点で共通する。
　したがって，甲３光選択透過フィルター発明の「基材（１）」は，本件訂正発明１の「樹脂層」と，「溶剤可溶性であり，樹脂成分を含有する樹脂組成物を用いて形成され，」る点で共通する。
（オ）　甲３光選択透過フィルター発明の「基材（１）」（樹脂層）の材質である「フッ素化芳香族ポリマー」（フッ素化芳香族ポリマー）は，実質上，反応式中に示されている繰り返し単位と，当該繰り返し単位とはＢＰＤＥとＨＦの結合位置の異なる構造異性体（以下，便宜上，反応式中に示されている繰り返し単位と当該繰り返し単位の位置異性体とを総称して「特定繰り返し単位」という。）のみからなる樹脂であることが当業者に自明であるところ，当該「フッ素化芳香族ポリマー」の数平均分子量（Ｍｎ）が「７０７７０」であり，「特定繰り返し単位」の化学式量（炭素数５１，酸素数５，水素数２４，フッ素数８である。）がおよそ８６９であるから，その重合度の数平均は約８１（≒７０７７０／８６９）である。（なお，当該重合度の数平均は，甲３の【００５３】の「上記一般式（１−１）中，・・・（中略）・・・ｎ１は，重合度を表わし，２〜５０００の範囲内が好ましく，５〜５００の範囲内がさらに好ましい。」という記載とも整合する。）
　したがって，甲３光選択透過フィルター発明の「特定繰り返し単位」は，本件訂正発明１の「一般式（１−１）」において，Ｒ１として，「構造式群（３）」の中の一つである　　　　　　　　　　　　　　　　　　　　　
で表される「有機鎖」を選択し，Ｚとして，Ｘが「構造式群（３）」の中の一つである　　　　　　　　　　　　　　　　　　　　　　　　　　　　
で表される「有機鎖」である「構造式（４−６）」で表される「２価の鎖」
を選択し，ｘ及びｙをいずれも４とし，ｎ１を約８４とした繰り返し単位に該当する。
　また，実質上当該「特定繰り返し単位」のみからなる甲３光選択透過フィルター発明の「フッ素化芳香族ポリマー」は，ベンゼン環がエーテルとケトンにより結合した直鎖状の構造を有しており，前記ベンゼン環の一部がフッ素により置換されたものであるから，フッ素化ポリエーテルケトンである。（なお，「ＦＰＥＫフィルム」のＦＰＥＫは，フッ素化ポリエーテルケトン（ＦｌｕｏｒｏＰｏｌｙＥｔｈｅｒＫｅｔｏｎｅ）の略号である。）
　以上によれば，甲３光選択透過フィルター発明の「基材（１）」は，本件訂正発明１の「樹脂層」に係る「フッ素化芳香族ポリマー及びポリ（アミド）イミド樹脂からなる群より選択される少なくとも１種の溶剤可溶性樹脂であり，該ポリ（アミド）イミド樹脂は，一般式（５）で表される繰り返し単位を有し，該フッ素化芳香族ポリマーは，一般式（１−１）又は（１−２）で表される繰り返し単位を含む，フッ素原子を有するポリエーテルケトンであり，」との発明特定事項に相当する構成を具備している。
（カ）　甲３光選択透過フィルター発明は，７５０ないし１０００ｎｍの透過率が５％以下であり，少なくとも，３００ないし３５０ｎｍの波長範囲内のいずれの波長においても透過率が略ゼロであるから，「赤外・紫外線カットフィルター」ということができるところ，「３００ないし３５０ｎｍ」及び「７５０ないし１０００ｎｍ」という波長範囲はそれぞれ「２００〜３５０ｎｍの紫外光」及び「６５０ｎｍ〜１０μｍの赤外光」内の一部の波長範囲に該当し，これら波長範囲内での透過率はいずれの波長でも「５％以下」であるから，甲３光選択透過フィルター発明は，本件訂正発明１の「６５０ｎｍ〜１０μｍの赤外光と２００〜３５０ｎｍの紫外光の透過率を選択的に５％以下に低減する赤外・紫外線カットフィルターである」という発明特定事項に相当する構成を具備している。
（キ）　甲３光選択透過フィルター発明は，自動車や建物などのガラスなどに装着される熱線カットフィルターや，固体撮像素子の視感度補正用フィルターや，撮像レンズにおける光ノイズを遮断するためのフィルターとして有用な光選択透過フィルターであるところ，少なくとも固体撮像素子の視感度補正用フィルターや撮像レンズにおける光ノイズを遮断するためのフィルターとしての用途は「光学用途」といえるから，甲３光選択透過フィルター発明は，本件訂正発明１の「光学用途用」であるという発明特定事項に相当する構成を具備している。
（ク）　前記（ア）ないし（キ）に照らせば，本件訂正発明１と甲３光選択透過フィルター発明は，
「樹脂シートと，その少なくとも一方の表面に形成されてなる赤外線反射膜とを含む光選択透過フィルターであって，
該樹脂シートは，樹脂層を有し，
該樹脂層は，溶剤可溶性であり，該樹脂成分を含有する樹脂組成物を用いて形成され，
該樹脂成分は，フッ素化芳香族ポリマー及びポリ（アミド）イミド樹脂からなる群より選択される少なくとも１種の溶剤可溶性樹脂であり，
該ポリ（アミド）イミド樹脂は，下記一般式（５）：
【化５】　　　　　　　　　　　　　　　　　　　　　　　　　　　　　
（式中，Ｒ４は，同一又は異なって，有機基を表す。該有機基は，脂肪族鎖状炭化水素，脂肪族環状炭化水素，及び芳香族炭化水素からなる群より選択される少なくとも１種の炭化水素骨格が炭素−炭素結合を介して，又は結合基を介して結合した骨格を有するものであり，該結合基は，−Ｏ−，−ＳＯ２−，−ＣＯ−，−Ｓｉ（ＣＨ３）２−，−Ｃ２Ｈ４Ｏ−又は−Ｓ−である。）で表される繰り返し単位を有し，
該フッ素化芳香族ポリマーは，下記一般式（１−１）又は（１−２）で表される繰り返し単位を含む，フッ素原子を有するポリエーテルケトンであり，
【化１】　　　　　　　　　　　　　　　　　　　　　　　　　　　　　
（一般式（１−１）中，Ｒ１は，下記構造群（３）で表される有機鎖を表す。
【化３】　　　　　　　　　　　　　　　　　　　　　　　　　　　　　
Ｚは，２価の鎖又は直接結合を表し，該２価の鎖は，下記構造式（４−１）〜（４−１３）で表される鎖であり，
【化４】　　　　　　　　　　　　　　　　　　　　　　　　　　　　　
該構造式（４−１）〜（４−１３）中，Ｘは，該構造式群（３）で表される有機鎖を表す。ｘ及びｙは０以上の整数であり，ｘ＋ｙ＝１〜８を満たし，同一又は異なって，芳香族環に結合しているフッ素原子の数を表す。ｎ１は，重合度を表し，２〜５０００の範囲内である。
一般式（１−２）中，Ｒ２は，炭素数１〜１２のアルキル基，炭素数１〜１２のアルコキシ基，炭素数１〜１２のアルキルチオ基，炭素数６〜２０のアリール基，炭素数６〜２０のアリールオキシ基，又は炭素数６〜２０のアリールチオ基を表す。Ｒ３は，該構造式群（３）で表される有機鎖を表す。ｚは，芳香族環に結合しているフッ素原子の数であり，１又は２である。ｎ１は，重合度を表し，２〜５０００の範囲である。）
該光選択透過フィルターは，６５０ｎｍ〜１０μｍの赤外光と２００〜３５０ｎｍの紫外光の透過率を選択的に５％以下に低減する赤外・紫外線カットフィルターである光学用途用光選択透過フィルター。」
である点で一致し，次の点で相違する。
相違点１：
　本件訂正発明１の「樹脂シート」が有する「樹脂層」は，色素と樹脂成分を混合して得られる樹脂組成物を用いて形成された，色素及び樹脂成分を含有するものであって，当該色素は，６００〜８００ｎｍの波長域に吸収極大を有する金属フタロシアニン系色素を含み，当該金属フタロシアニン系色素は，銅を中心金属とする金属フタロシアニンであり，当該色素の含有量が，樹脂シートの総量１００質量％に対して，０．０００１質量％以上，１５質量％未満であるのに対して，
　甲３光選択透過フィルター発明の「基材（１）」を作成する際に用いる「酢酸エチルとトルエンの混合溶媒」に「フッ素化芳香族ポリマー」を溶解させた溶液には色素は含有されておらず，したがって，「基材（１）」は樹脂成分である「フッ素化芳香族ポリマー」を含有するものの，本件訂正発明１のような色素を含有してはいない点。
　イ　相違点１について
　甲３の【００８９】には「赤外線の透過率を低減させる赤外カットフィルターにおいては，・・・（中略）・・・（３）基材に赤外線をカットする機能を持つ材料（原料）を用いる形態等が好適である。その他の波長を選択的に低減する場合でも同様であり，このような形態を用いることで，多層膜（多層蒸着層）の積層数を低減できたり省略したりすることができ，光選択透過フィルターの膜厚を薄くできる。」との記載があり，【００９０】には「上記（３）基材に赤外線をカットする機能を持つ材料（原料）を用いる形態としては，基材が有機材料（例えば，樹脂組成物）である場合は，樹脂組成物に上記酸化物や色素を練り込んでフィルム状に成型する方法が好適である。」との記載があるところ，当該記載の構成を甲３光選択フィルター発明において採用する場合，甲３光選択フィルター発明は，はんだ付け工程の加熱や多層膜の蒸着時の加熱に対する耐熱性に優れたものとするために，「基材（１）」の材質として実質上「特定繰り返し単位」のみからなる「フッ素化芳香族ポリマー」を用いたものであるのだから，「基材（１）」に含有させる色素もはんだ付け工程の加熱や多層膜の蒸着時の加熱に対する耐熱性（甲３の【００１１】の記載によると，２５０℃・３ｍｉｎや２００℃・５ｈｒ）に優れたものである必要があることは当業者に自明である。また，甲３光選択透過フィルター発明の「基材（１）」は溶剤キャスト法により作成したものであるから，「基材（１）」に含有させる色素が，溶剤キャスト法に用いることのできるものであることが必要なことも当業者に自明である。
　しかるに，甲４技術事項における「式（Ｉ）で表わされるフタロシアニン系色素」は，これを含有する「近赤外線吸収フィルム」とすることで，温度変化の激しい環境下においてもその特性の劣化のない，すなわちヒートサイクル特性に優れた，寒暖の激しい屋外での長期使用に適する近赤外線吸収部材とすることができるものであり，また，フタロシアニン系色素／プラスチックの重量比を１／１０００〜１／１０にして，キャスティング法によって，前記「近赤外線吸収フィルム」を製造することができるとともに，当該「近赤外線吸収フィルム」上にスパッタリング，真空蒸着，イオンプレーティング等の方法で金属酸化物層と金属層を交互に積層した赤外線反射層を形成することができるものである。その中でも，特に「色素Ｎｏ．１」，「色素Ｎｏ．４」，「色素Ｎｏ．６」及び「色素Ｎｏ．１５５」は，融点（ｍｐ）がそれぞれ２８５〜２９０℃，３２０〜３２３℃，３２１〜３２２℃及び２６０〜２６２℃であって，熱分解開始温度がそれぞれ４２０℃，４４５℃，４４８℃及び３２０℃であり，これらの色素をそれぞれ含有する各「近赤外線吸収フィルム」上にスパッタリングにより１０００Åの酸化ケイ素層と２００ÅのＡｕ層からなる赤外線反射層を形成した「熱線遮断フィルム」について，ヒートサイクル試験により実際にその耐熱性が確かめられたものである。しかも，これらの色素は，経時安定性の点で好ましいとされた中心元素ＭがＣｕ（銅）のものでもある。
　そうすると，甲３光選択透過フィルター発明において，膜厚の薄い光選択透過フィルターであって経時安定性にも優れたものとすべく，「基材（１）」を溶剤キャスト法により作製する際に甲４記載事項の「色素Ｎｏ．１」，「色素Ｎｏ．４」，「色素Ｎｏ．６」又は「色素Ｎｏ．１５５」を「色素／プラスチックの重量比」が「１／１０００〜１／１０」程度となる量で含有させるとともに，「赤外線を反射する多層膜」の積層数を赤外線のカット能力が低下しない範囲で適宜低減することは，甲３の記載及び甲４の記載に接した当業者が容易に想到し得たことである。
　しかるに，「色素Ｎｏ．１」，「色素Ｎｏ．４」，「色素Ｎｏ．６」及び「色素Ｎｏ．１５５」は，その「トルエン中のλｍａｘ」（トルエンに溶解したときの吸収極大波長を指していることは技術常識より明らかである。）がそれぞれ７０５．５ｎｍ，７０３．０ｎｍ，７０２．５ｎｍ及び７０９．５ｎｍであり，かつ，その中心元素ＭがいずれもＣｕ（銅）であるから，本件訂正発明１の「６００〜８００ｎｍの波長域に吸収極大を有する」とともに「銅を中心金属とする」「金属フタロシアニン系色素」に該当し，「１／１０００〜１／１０」という「色素／プラスチックの重量比」は，本件訂正発明１の「樹脂シートの総量１００質量％に対して，０．０００１質量％以上，１５質量％未満」という「色素の含有量」の範囲を満足するから，前述した構成の変更を行った甲３光選択透過フィルター発明は，相違点１に係る本件訂正発明１の発明特定事項に相当する構成を具備することとなる。
　なお，甲３光選択透過フィルター発明において，当該構成の変更を行うことによって，赤外線領域における分光透過率が，構成の変更前のものと若干異なることになる可能性はあるものの，低減する「赤外線を反射する多層膜」の積層数を赤外線のカット能力が低下しないよう配慮するのは当然のことであって，少なくとも，「６５０ｎｍないし１０μｍ」という赤外光の波長範囲内に，透過率が５％以下となる波長が全く存在しないような構成の変更を行うことはおよそ考えられないから，前記構成の変更によって，「６５０ｎｍ〜１０μｍの赤外光の透過率を選択的に５％以下に低減する」点に関して新たな相違点が生じることはない。
　ウ　効果について
　甲４には，近赤外線吸収部材が野外で使用されるので，当該近赤外線吸収部材に含まれる色素に高い耐光性が要求されることが記載されているところ（【０００３】），甲４技術事項の「色素Ｎｏ．１」，「色素Ｎｏ．４」，「色素Ｎｏ．６」及び「色素Ｎｏ．１５５」を含む近赤外線吸収フィルムや熱線遮断部材は，屋外での「長期使用」が想定されているのであるから，甲４の記載に接した当業者は，甲４技術事項の「色素Ｎｏ．１」，「色素Ｎｏ．４」，「色素Ｎｏ．６」及び「色素Ｎｏ．１５５」について，たとえその耐光性が確かめられていなくとも，屋外での長期使用における十分な耐光性を有していることを期待するものと認められる。
　したがって，本件訂正発明１が奏する効果は，甲３及び甲４の記載に基づいて，当業者が予測できた程度のものであって，進歩性の有無の判断を左右するほどの異質なものとも格別顕著なものとも認められない。
　エ　本件訂正発明１についてのまとめ
　以上のとおりであるから，本件訂正発明１は，甲３光選択フィルター及び甲４技術事項に基づいて，当業者が容易に発明をすることができたものである。
（３）本件訂正発明４について
　本件訂正発明４と甲３基材発明を対比すると，両者は，相違点１と同様の点で相違し，その余の点で一致する。
　そして，前記（２）イで述べたのと同様の理由で，甲２基板発明を，相違点１に係る本件訂正発明４の発明特定事項に相当する構成を具備したものとすることは，当業者が容易になし得たことであり，かつ，本件訂正発明４が奏する効果は，甲３及び甲４の記載に基づいて，当業者が予測できた程度のものである。
（４）本件訂正発明５について
　ア　本件訂正発明５と甲３カメラモジュール発明を対比すると，甲３カメラモジュール発明の「シーモスセンサー」及び「カメラモジュール」が，本件訂正発明５の「センサー部」及び「固体撮像素子」にそれぞれ相当し，甲３カメラモジュール発明の「レンズ」は，本件訂正発明５の「レンズユニット部」と，「レンズ部」である点で共通するから，両者は，相違点１と同様の点に加えて，次の点でも一応相違し，その余の点で一致する。
相違点２：
　本件訂正発明５の「レンズユニット部」は，ユニット化されているのに対して，
　甲３カメラモジュール発明では，「レンズ」が，ユニット化されているのか否か定かでない点。
　イ　前記（２）イで述べたのと同様の理由で，甲３カメラモジュール発明を，相違点１に係る本件訂正発明５の発明特定事項に相当する構成を具備したものとすることは，当業者が容易になし得たことである。
　ウ　カメラモジュールにおいて，レンズをユニット化することは，例示するまでもなく，本件優先日より前に周知の技術であって，甲３カメラモジュール発明において，当該周知の技術を採用し，相違点２に係る本件訂正発明５の発明特定事項に相当する構成を具備したものとすることは，当業者が適宜なし得たことである。
　エ　本件訂正発明５が奏する効果は，甲３，甲４の記載及び周知の事項に基づいて，当業者が予測できた程度のものである。
（５）小括
　本件訂正発明１は，甲３光選択透過フィルター発明及び甲４技術事項に基づいて，当業者が容易に発明をすることができたものであり，本件訂正発明４は，甲３基材発明及び甲４技術事項に基づいて，当業者が容易に発明をすることができたものであり，本件訂正発明５は，甲３カメラモジュール発明，甲４技術事項及び周知の技術に基づいて，当業者が容易に発明をすることができたものであるから，その特許は，特許法２９条２項の規定に違反してされたものである。
４　取消理由２の成否についての判断
　特許請求の範囲の記載が，明細書のサポート要件に適合するか否かは，特許請求の範囲の記載と発明の詳細な説明の記載とを対比し，特許請求の範囲に記載された発明が，発明の詳細な説明に記載された発明で，その記載により当業者が当該発明の課題を解決できると認識できる範囲のものであるか否か，また，その記載や示唆がなくとも当業者が出願時の技術常識に照らし当該発明の課題を解決できると認識できる範囲のものであるか否かを検討して判断すべきものと解される（知財高判　平成１７年１１月１１日　平成１７年（行ケ）１００４２号）。
　そこで，この観点から，本件訂正後の各請求項の記載がサポート要件に適合するのか否かを検討する。
（１）訂正明細書の記載
　ア　訂正明細書の発明の詳細な説明には，従来の技術とその問題点，本件訂正発明が解決しようとする課題，及び課題を解決するための手段に関して，次のとおりの記載がある。
（ア）　「光選択透過フィルターは，主に，基材に金属等を蒸着させ無機多層膜とし，各波長の屈折率を制御したものが用いられており，その基材として，従来，ガラス板が用いられてきたが，薄膜化の要望の高まりを受け，樹脂を基材とする技術が検討されている。近年ではまた，携帯電話，デジタルカメラ，車載用カメラ，監視カメラ，表示素子（ＬＥＤ等）等の屋外でも使用できる用途への適用も検討されているが，これらの屋外使用用途では，直射日光暴露等の外部環境への耐性，すなわち高いレベルの耐光性が要求されることになる。」（【０００３】）
（イ）　「特許文献２には，ガラス基板上に，近赤外吸収剤を含む顔料インクを塗布・乾燥して得られる光吸収膜と，該光吸収膜よりも高屈折率の膜とを，交互に多層積層した光吸収フィルターが開示されている。特許文献２の光吸収フィルターは，角度依存性を低減しつつ薄型化をも実現しようとするものである。」（【０００５】）
（ウ）　「多層膜の層数を多くすると，蒸着工程における加熱・冷却によって層間に応力が生じクラックや割れが発生するおそれがある。そこで，吸収ガラスを基材に用いることにより，多層膜の層数を減らすことが提案されている（例えば，非特許文献１参照。）。しかしながら，吸収ガラスは吸収イオン濃度（吸収を示す金属イオンの濃度）を高めるとクラックが発生し，ガラスとして成形できないため，・・・（中略）・・・充分な吸収性能を発揮するためには，相当な厚み（例えば，２ｍｍ程度）の吸収ガラスを用いる必要がある。」（【０００６】）
（エ）　「本発明は，上記現状に鑑みてなされたものであり，光遮断特性の入射角依存性が充分に低減され，光選択透過性に優れるとともに，十分な薄膜化が可能であり，しかも，耐光性に特に優れる光選択透過フィルター，該光選択透過フィルターに用いられる樹脂シート，及び，該光選択透過フィルターを有する固体撮像素子を提供することを目的とする。」（【００１０】）
（オ）　「本発明者は，・・・（中略）・・・反射層と吸収層とを有する形態とすることで，入射角依存性の低減と充分な遮断性能とを達成できることに着目した。そして，吸収層を色素及び樹脂成分を含む樹脂層とすると，吸収剤としての色素を高濃度としても均一に層中に分散でき，吸収ガラスのようにガラスを用いる場合と比較して，吸収層を大幅に薄膜化することができることを見いだした。・・・（中略）・・・更に，樹脂層を溶剤可溶性のものとすると，色素の吸収性能の劣化を充分に抑制でき，耐光性に特に優れる光選択透過フィルターとなることを見いだし，上記課題をみごとに解決することができることに想到した。」（【００１１】）
　イ（ア）　前記ア（イ）及び（ウ）で摘記した記載から，入射角依存性を低減するために採用した「反射層と吸収層とを有する形態」は従来の技術であると理解されるから，前記ア（エ）で摘記した記載から，本件訂正発明が解決しようとする課題は，入射角依存性を低減できる「反射層と吸収層とを有する形態」の光選択透過フィルターにおいて，薄膜化するとともに耐光性を向上することにあると把握される。
（イ）　前記（ア）で述べた解決課題のうち薄膜化という課題については，前記ア（ウ）及び（オ）で摘記した記載により，色素を含有する基板の材質としてガラスに代えて樹脂を採用することによって，色素の濃度を高くすることができ，結果として基板を薄くできることにより解決できると当業者が認識することができる。
（ウ）　一方，当該解決課題のうち耐光性の向上という課題については，前記ア（オ）で摘記した記載中には，色素を含有する基板の材質として用いる樹脂を「可溶性樹脂」とすることにより解決できることが記載されているところ，訂正明細書の発明の詳細な説明の【００２６】には，その作用機序について，
「樹脂形成成分（バインダー樹脂）として溶剤可溶性樹脂を用いると，溶剤可溶性樹脂原料及び液状樹脂原料を用いた場合に比べて，著しく耐光性に優れる。これは，溶剤可溶性樹脂が溶剤可溶性樹脂原料及び液状樹脂原料よりも，分散した色素の吸収性能の劣化を引き起こしにくいためである。理由として，
溶剤可溶性樹脂は，そのモノマーや前駆体から調整し，重合や反応を完結させている。更に精製を行う場合もある。こうして得られた溶剤可溶性樹脂には，色素の劣化，分解を促進させる未反応物，反応性末端，イオン性基，触媒，酸・塩基性基等がほとんどない
溶剤可溶性樹脂原料及び液状樹脂原料は，このような色素の劣化，分解を促進させる因子が多く残っている。また，色素を分散させた状態で，色素の吸収性能や吸収スペクトルを保持したまま，溶剤可溶性樹脂原料及び液状樹脂原料の重合や反応を完結させることが難しい
と説明されている。
　また，訂正明細書の発明の詳細な説明の【０１０１】ないし【０１０３】，【０１０５】ないし【０１０８】及び【０１０９】には，本件訂正発明１における「『一般式（５）で表される繰り返し単位』を有する『ポリ（アミド）イミド樹脂』」に該当する「脂環式ポリイミド」を溶媒に溶解した「合成例１」に，中心金属をＺｎとするフタロシアニン系色素である「３ＰｈＯＰｃＺｎ」又は中心金属をＣｕとするフタロシアニン系色素「ＰｃＣｕ」を溶解させた溶液を塗布・焼成することによりそれぞれ形成した実施例１，２と，本件訂正発明１における「一般式（１−１）又は（１−２）で表される繰り返し単位を含む，フッ素原子を有するポリエーテルケトン」である「フッ素化芳香族ポリマー」に該当する「ＦＰＥＫ」を溶媒に溶解した「合成例２」に，前記「３ＰｈＯＰｃＺｎ」又は「ＰｃＣｕ」を溶解させた溶液を塗布・焼成することによりそれぞれ形成した実施例３，４（なお，当該実施例１及び３は，色素として中心金属を亜鉛とする金属フタロシアニンを用いているから，本件訂正によって本件特許の各請求項に係る発明の実施例とはいえなくなった。）と，ポリアミドイミド前駆体を溶媒に溶解した溶液である日立化成工業製「ＨＰＣ−７０００−３０」に前記「３ＰｈＯＰｃＺｎ」又は「ＰｃＣｕ」を溶解させた溶液を塗布・焼成（当該焼成中に前駆体が重合する。）することによりそれぞれ形成した比較例１，２が記載され，【０１１３】の表１には，照度１０万ルクスの蛍光灯光を２５℃で１００時間照射した後（【００９９】）の実施例１ないし４，比較例１，２における透過率の増加量がそれぞれ２％，０％，１８％，０％，２３％，８％であることが示されている。
　しかるに，【０１０１】及び【０１０２】に記載された合成方法からみて，「合成例１」及び「合成例２」の溶液中に「色素の劣化，分解を促進させる未反応物，反応性末端，イオン性基，触媒，酸・塩基性基等」（以下，「劣化原因構造」という。）がほとんどないことは明らかである。
　そうすると，訂正明細書の発明の詳細な説明のこれらの記載から，当業者は，色素及び樹脂成分を含有する樹脂層は，樹脂成分が「劣化原因構造」をほとんど有していないことを前提として，樹脂層の製造を溶剤キャスト法により行うことで，製造工程の前後を通じて，色素と「劣化原因構造」とがほとんど接することのないようにすることによって，「劣化原因構造」による色素の劣化が防止され，耐光性の向上という課題を解決できると認識すると認められる。
（２）本件訂正後の特許請求の範囲の記載との対比
　本件訂正後の特許請求の範囲の請求項１，４及び５には，色素及び樹脂成分を含有する樹脂層について，「溶剤可溶性」であることが特定され，さらに，樹脂層に含まれる樹脂成分が，「フッ素化芳香族ポリマー及びポリ（アミド）イミド樹脂からなる群より選択される少なくとも１種の溶剤可溶性樹脂であり，前記ポリ（アミド）イミド樹脂は一般式（５）で表される繰り返し単位を有し，前記フッ素化芳香族ポリマーは一般式（１−１）又は（１−２）で表される繰り返し単位を含む，フッ素原子を有するポリエーテルケトンである」ことが特定され，一般式（５），（１−１）及び（１−２）の定義について特定されているところ，一般式（５）で表される繰り返し単位や，一般式（１−１）で表される繰り返し単位や，一般式（１−２）で表される繰り返し単位が「劣化原因構造」を有していないことは認められる。
　しかしながら，本件訂正後の特許請求の範囲の請求項１，４及び５では，「ポリ（アミド）イミド樹脂」について「一般式（５）・・・（中略）・・・で表される繰り返し単位を有し，」と規定されているのみであって，文言上，一般式（５）で表される繰り返し単位以外の構造（当然，当該構造中に「劣化原因構造」が存在することは許容されることとなる。）の存在を排除しておらず，かつ，一般式（５）で表される繰り返し単位の存在比も規定されていないから，当該「ポリ（アミド）イミド樹脂」が，「劣化原因構造」がほとんどない樹脂であると認めることができない。
　また，「フッ素化芳香族ポリマー」についても，同様に，「一般式（１−１）又は（１−２）で表される繰り返し単位を含む，フッ素原子を有するポリエーテルケトンであり，」と規定するのみであって，一般式（１−１）又は（１−２）で表される繰り返し単位以外の構造の存在を排除しておらず，かつ，一般式（１−１）又は（１−２）で表される繰り返し単位の存在比も規定されていないから，当該「フッ素化芳香族ポリマー」についても，「劣化原因構造」がほとんどない樹脂であると認めることができない。
　そうすると，本件訂正発明１，４及び５は，色素と「劣化原因構造」を多数有している樹脂成分を混合して得られる樹脂組成物を用いて形成された樹脂層を有する光選択透過フィルター，光選択透過フィルター用樹脂シート及び固体撮像素子をそれぞれ包含しているといわざるを得ないところ，前記（１）で述べた事項に照らせば，このような光選択透過フィルター，光選択透過フィルター用樹脂シート及び固体撮像素子が，訂正明細書の発明の詳細な説明の記載により当業者が発明の課題を解決できると認識できる範囲のものとはいえない。
　また，本件特許の出願時に，訂正明細書の発明の詳細な説明の記載や示唆がなくとも前述したような光選択透過フィルター，光選択透過フィルター用樹脂シート及び固体撮像素子が課題を解決できると当業者が認識できるような技術常識が存在していたことを示す証拠も見当たらない。
　以上によれば，本件訂正発明１，４及び５が，訂正明細書の発明の詳細な説明の記載により当業者が当該発明の課題を解決できると認識できる範囲のものであるとも，また，訂正明細書の発明の詳細な説明の記載や示唆がなくとも当業者が出願時の技術常識に照らし当該発明の課題を解決できると認識できる範囲のものであるとも認められないから，本件訂正後の特許請求の範囲の記載は，サポート要件に適合しない。
（３）小括
　本件訂正後の特許請求の範囲の記載は，サポート要件に適合しないから，本件訂正後の請求項１，２，４及び５に係る発明の特許は，特許法３６条６項１号に規定する要件を満たしていない特許出願に対してされたものである。
第４　むすび
　本件訂正発明１，４及び５について，取消理由１及び取消理由２が成り立つから，その特許は，特許法２９条２項の規定に違反してされたものであるとともに同法３６条６項１号に規定する要件を満たしていない特許出願に対してされたものであって，同法１１３条２号及び４号に該当し，取り消されるべきものである。
　請求項２及び３は訂正により削除されたため，本件特許の請求項２及び３に対して，特許異議申立人がした特許異議の申立てについては，対象となる請求項が存在しない。
　よって，結論のとおり決定する。
【異議決定日】
平成３０年１月３０日（２０１８．１．３０）
【訂正の要旨】
審決（決定）の【理由】欄参照。
（５４）【発明の名称】
光選択透過フィルター、樹脂シート及び固体撮像素子
　【技術分野】
　【０００１】
本発明は、光選択透過フィルター、樹脂シート及び固体撮像素子に関する。より詳しくは、光学部材やオプトデバイス部材の他、表示デバイス部品、機械部品、電気・電子部品等として有用な光選択透過フィルター、それに用いられる樹脂シート、及び、光選択透過フィルターを有する固体撮像素子に関する。
　【背景技術】
　【０００２】
光選択透過フィルターは、特定波長の光の透過率を選択的に低減するフィルターであり、例えば、光学部材やオプトデバイス部材の他、表示デバイス部品、機械部品、電気・電子部品等として用いられる光フィルター部材として有用なものである。例えば、代表的な光学部材の１つである固体撮像素子（カメラモジュールとも称す）においては、光学ノイズとなる赤外線（特に波長＞７８０ｎｍ）を遮断する赤外線カットフィルター（ＩＲカットフィルター）が用いられている。
　【０００３】
ところで、近年、光学部材等においては、例えば、デジタルカメラモジュールが携帯電話に搭載される等、小型化が進み、光学部材の小型化が一層求められており、それに伴って、デジタルカメラモジュール等に用いられる光選択透過フィルター（赤外線カットフィルター）の薄膜化が望まれている。光選択透過フィルターは、主に、基材に金属等を蒸着させ無機多層膜とし、各波長の屈折率を制御したものが用いられており、その基材として、従来、ガラス板が用いられてきたが、薄膜化の要望の高まりを受け、樹脂を基材とする技術が検討されている。近年ではまた、携帯電話、デジタルカメラ、車載用カメラ、監視カメラ、表示素子（ＬＥＤ等）等の屋外でも使用できる用途への適用も検討されているが、これらの屋外使用用途では、直射日光暴露等の外部環境への耐性、すなわち高いレベルの耐光性が要求されることになる。
　【０００４】
基材に樹脂を用いた光選択透過フィルターとしては、例えば、厚みが２００μｍ未満であり、かつ基材が耐リフロー性機能フィルムを含んで構成された光選択透過フィルターが開示されている（例えば、特許文献１参照。）。この光選択透過フィルターは、充分に薄くても耐熱性に優れるため、各種用途に極めて有用なものである。特許文献１の実施例には、基材上に反射型のＩＲカット膜（誘電体多層膜）を蒸着した形態の光選択透過フィルター、すなわち反射型フィルターが開示されている。
　【０００５】
また、反射型フィルターと、光吸収剤を含有する透明材料から構成される吸収型フィルターとの、特性の異なる２種のフィルターを併用することによって、光学フィルターをより優れた性能を有するものとする試みも行われている。例えば、特許文献２には、ガラス基板上に、近赤外吸収剤を含む顔料インクを塗布・乾燥して得られる光吸収膜と、該光吸収膜よりも高屈折率の膜とを、交互に多層積層した光吸収フィルターが開示されている。特許文献２の光吸収フィルターは、角度依存性を低減しつつ薄型化をも実現しようとするものである。また、特許文献３には、ガラス基板上に光学多層膜からなる熱線反射膜及び熱線吸収膜が形成された熱線カットフィルターが開示されている。特許文献３に開示された熱線カットフィルターは、ランプから発生する、近赤外線領域から遠赤外線領域に亙って広帯域に熱線をシャープに且つほぼ完全にカットできる広帯域の熱線カットフィルターを提供することを目的とし、短波長領域（例えば波長２μｍ以下）の赤外線を熱線反射膜で遮断し、長波長領域（例えば波長２μｍ以上）の赤外線を熱線吸収膜で遮断しようとするものである。
　【０００６】
ところで、ガラス基板上に多層膜を蒸着形成する場合には、透過させたい波長域（例えば、可視領域）での高い透過性、及び、遮断したい波長域（例えば、近赤外領域）での高いカット性能を実現しようと多層膜の層数を多くすると、蒸着工程における加熱・冷却によって層間に応力が生じクラックや割れが発生するおそれがある。そこで、吸収ガラスを基材に用いることにより、多層膜の層数を減らすことが提案されている（例えば、非特許文献１参照。）。しかしながら、吸収ガラスは吸収イオン濃度（吸収を示す金属イオンの濃度）を高めるとクラックが発生し、ガラスとして成形できないため、吸収イオン濃度を低くせざるを得ない。このため、充分な吸収性能を発揮するためには、相当な厚み（例えば、２ｍｍ程度）の吸収ガラスを用いる必要がある。
　【先行技術文献】
　【特許文献】
　【０００７】
　【特許文献１】　特開２００８−１８１１２１号公報
　【特許文献２】　特開２００６−１０６５７０号公報
　【特許文献３】　特開平８−３２９７１９号公報
　【非特許文献】
　【０００８】
　【非特許文献１】　小檜山光信著、「光学薄膜フィルターデザイン」、オプトロニクス社、２００６年１０月５日、ｐ．２１３−２１９
　【発明の概要】
　【発明が解決しようとする課題】
　【０００９】
上述したように、種々の光選択透過フィルターが検討されているが、一般に、反射型フィルターは、光の遮断性能には優れるものの、光の入射角によって反射特性が変化する入射角依存性を有しており、その低減が課題であった。入射角依存性のないフィルターとしては、例えば、光吸収剤を含有する透明材料から構成される吸収型フィルターが挙げられるが、充分な吸収特性を実現するためには相当な厚みが必要であった。また、ガラス基材を用いる場合には、薄くすると割れやすくなる等の課題があり、薄膜化には限界があった。このように、従来の技術には、遮断性能の入射角依存性を低減して特定波長の光を効果的に遮断するとともに、薄膜化の要請にも応えることができる光選択透過フィルターを得るための工夫の余地があった。また、直射日光暴露等の厳しい外部環境下でもより充分な性能を発揮できる、すなわち高いレベルの耐光性に優れる光選択透過フィルターとするための工夫の余地もあった。
　【００１０】
本発明は、上記現状に鑑みてなされたものであり、光遮断特性の入射角依存性が充分に低減され、光選択透過性に優れるとともに、充分な薄膜化が可能であり、しかも、耐光性に特に優れる光選択透過フィルター、該光選択透過フィルターに用いられる樹脂シート、及び、該光選択透過フィルターを有する固体撮像素子を提供することを目的とする。
　【課題を解決するための手段】
　【００１１】
本発明者は、光の透過率を選択的に低減する光選択透過フィルターについて種々検討したところ、反射層と吸収層とを有する形態とすることで、入射角依存性の低減と充分な遮断性能とを達成できることに着目した。そして、吸収層を色素及び樹脂成分を含む樹脂層とすると、吸収剤としての色素を高濃度としても均一に層中に分散でき、吸収ガラスのようにガラスを用いる場合と比較して、吸収層を大幅に薄膜化することができることを見いだした。また、光選択透過フィルターを、上述した吸収層（樹脂層）を有する樹脂シートの表面に、反射膜が形成された構成とすることで、基材にガラスを用いる場合と比較して、フィルター全体を大幅に薄膜化できることも見いだした。更に、樹脂層を溶剤可溶性のものとすると、色素の吸収性能の劣化を充分に抑制でき、耐光性に特に優れる光選択透過フィルターとなることを見いだし、上記課題をみごとに解決することができることに想到した。そして、このような光選択透過フィルターが、固体撮像素子（カメラモジュール）等の光学用途やオプトデバイス用途等に好適に適用することができることを見いだし、本発明に到達したものである。
　【００１２】
すなわち本発明は、樹脂シートと、その少なくとも一方の表面に形成されてなる反射膜とを含む光選択透過フィルターであって、該樹脂シートは、色素及び樹脂成分を含有する樹脂層を有し、該色素は、金属フタロシアニン系色素及び／又はポルフィリン系色素を含み、該樹脂層は、溶剤可溶性である光選択透過フィルターである。
本発明はまた、上記光選択透過フィルターに用いられる光選択透過フィルター用樹脂シートでもある。
本発明は更に、上記光選択透過フィルター、レンズユニット部、及び、センサー部を少なくとも有する固体撮像素子でもある。
以下に本発明を詳述する。なお、以下において段落に分けて記載される本発明の好ましい形態の２つ又は３つ以上を組み合わせたものも本発明の好ましい形態である。
　【００１３】
本発明の光選択透過フィルターは、樹脂シートと、その少なくとも一方の表面に形成されてなる反射膜とを有する。
このような光選択透過フィルターにおける樹脂シートは、色素及び樹脂成分を含有する樹脂層を有し、該樹脂層が溶剤可溶性を示すものである。このような樹脂層を有する樹脂シートを用いることにより、極めて高度の耐光性を発揮することができ、また、当該吸収性の樹脂層を、反射膜として好適な光学多層膜と併用することで、光学多層膜の層数を減らすことができ、該多層膜における応力を緩和できるため、多層膜のクラックや割れを充分に防止することができる。このような本発明の光選択透過フィルターに用いられる光選択透過フィルター用樹脂シートもまた、本発明の１つである。
　【００１４】
上記樹脂シートにおいて、樹脂層は、色素及び樹脂成分を含有するものであって、該樹脂層自体が溶剤可溶性を示す層である。このような樹脂層は、後述する溶媒キャスト法によって形成（成膜）することができるため、色素を高濃度で均一に分散できるとともに、比較的低温で樹脂層を形成することができる。また、樹脂層を形成するための樹脂成分（樹脂形成成分、バインダー樹脂とも称す）を適切に選択することにより、透過させたい波長域（例えば、可視領域）における高透過率と、遮断したい波長域（例えば、赤外領域）における高吸収性とを両立することが可能となる。
なお、溶剤可溶性の樹脂層とは、ジメチルアセトアミド又はＮ−メチルピロリドン１００質量部に対し、１質量部以上溶解する樹脂層であることが好適である。
　【００１５】
上記樹脂層はまた、色素及び樹脂成分を含有するものであるが、色素が樹脂層中に分散されてなる形態のものが好適である。また、色素が分散された溶剤可溶性樹脂を用いて形成された樹脂層であることが好ましい。色素が分散された溶剤可溶性樹脂とは、少なくとも溶剤可溶性樹脂と色素とを含む組成物であって、該組成物中に色素が分散されてなるものである。
　【００１６】
上記樹脂層において、色素は、特定波長の光を吸収する物質を意味する。
上記色素としては、樹脂成分と混合又は混練可能な色素を用いることができるが、例えば、６００〜８００ｎｍの波長域に吸収極大を有するものが好適である。これにより、光選択透過フィルターを、特に７８０ｎｍ〜１０μｍの赤外光を低減させる赤外線カットフィルターに好適に適用することが可能になる。より好ましくは、６５０〜７５０ｎｍの波長域に吸収極大を有するものである。上記色素はまた、４００ｎｍ以上、６００ｎｍ未満の波長域には実質的に吸収極大を持たないものであることが好ましい。
　【００１７】
上記色素は、金属フタロシアニン系色素及び／又はポルフィリン系色素を含む。すなわち、金属フタロシアニン系色素及びポルフィリン系色素からなる群より選択される少なくとも１種を含むものである。これらの色素を含むことにより、色素の樹脂成分への溶解性が高くなり、また、光選択透過フィルターが可視光領域での透過率に優れるものとなる。より好ましくは、金属フタロシアニン系色素を少なくとも含むことである。
　【００１８】
上記金属フタロシアニン系色素としては、例えば、銅、亜鉛、コバルト、バナジウム、鉄、ニッケル、錫、銀、マグネシウム、ナトリウム、リチウム、鉛等の金属元素を中心金属とする金属フタロシアニンが挙げられる。中でも、溶解性、可視光透過性、耐光性がより優れることから、銅、バナジウム及び亜鉛のいずれか１以上を中心金属とするものが好ましい。このように、上記金属フタロシアニン系色素が、銅、バナジウム及び亜鉛からなる群から選択される少なくとも１種の金属元素を中心金属とする、金属フタロシアニンである形態は、本発明の好適な形態の１つである。中心金属としてより好ましくは銅及び亜鉛であり、更に好ましくは銅である。銅を用いたフタロシアニンは、どのようなバインダー樹脂に分散させても光による劣化がなく、非常に優れた耐光性を有する。
上記ポルフィリン系色素としては、テトラアザポルフィリン等が挙げられる。
　【００１９】
上記色素はまた、金属フタロシアニン系色素及びポルフィリン系色素以外のその他の色素を含んでいてもよい。例えば、シアニン系色素、クアテリレン系、スクアリリウム系、ナフタロシアニン系、ニッケル錯体系、銅イオン系色素等が挙げられる。
上記その他の色素の含有量は、金属フタロシアニン系色素やポルフィリン系色素による効果を充分に発揮させるため、色素の全量１００重量部に対し、３０重量部以下であることが好適である。より好ましくは２０重量部以下、更に好ましくは１０重量部以下、特に好ましくは、その他の色素を実質的に含まないことである。
上記シアニン系色素としては、Ｉ−塩シアニン、ＣｌＯ４−塩シアニン、Ｂｒ−塩シアニン、−ＯＡｃ塩シアニン、ＢＦ４−塩シアニン等が挙げられる。
上記銅イオン系色素としては、アクリル酸、カルボン酸、リン酸等の酸やケトン基、エステル基等の極性基が配位及び／又は結合した銅イオンを含む化合物等が挙げられる。
　【００２０】
上記色素は、上記樹脂層中に均一に分散又は溶解されてなることが好ましい。この形態において、色素を含有する樹脂層の可視光領域におけるヘイズが１０％以下であることが好ましい。より好ましくは５％以下、更に好ましくは３％以下、最も好ましくは１％以下である。また、この形態において、色素を含有する樹脂層の可視光５００ｎｍにおける透過率は６０％以上であることが好適である。より好ましくは７０％以上、更に好ましくは８０％以上、最も好ましくは８５％以上である。
上記形態においては更に、上記色素を含有する樹脂層を含む光選択透過フィルターについても、可視光領域におけるヘイズ及び可視光５００ｎｍにおける透過率が、夫々上述した範囲にあることが好ましい。
　【００２１】
上記樹脂シートにおける色素の濃度（含有量）としては、樹脂シートの総量１００質量％に対して、０．０００１質量％以上、１５質量％未満であることが好ましい。より好ましくは、０．００１質量％以上、１０質量％未満である。更に好ましくは、０．０１質量％以上、０．５質量％未満である。
上記樹脂層における色素の濃度（含有量）としては、樹脂層の総量１００質量％に対して、０．０００１質量％以上、２０質量％未満であることが好ましい。なお、樹脂層における色素の濃度（含有量）のより好適な範囲は、樹脂シートの構成や樹脂層の厚みによって異なる。
　【００２２】
上記樹脂シートが、後述するような、上記樹脂層が支持フィルムを兼ねた単層からなる場合は、上記樹脂層における色素の濃度（含有量）としては、樹脂層の総量１００質量％に対して、０．００１質量％以上が好ましく、０．０１質量％以上がより好ましく、また１質量％以下が好ましく、０．５質量％以下がより好ましい。
また上記樹脂シートが、後述するような、上記樹脂層と支持フィルムとからなる場合には、上記樹脂層における色素の濃度（含有量）としては、樹脂層の総量１００質量％に対して、１質量％以上、２０質量％未満であることが好ましい。より好ましくは３質量％以上であり、特に８質量％以上が好ましい。また上限は、１５質量％未満が更に好ましい。
　【００２３】
上記樹脂シートにおいて、樹脂成分としては、溶剤可溶性樹脂を用いることが好適である。溶剤可溶性樹脂とは、有機溶剤に可溶な樹脂を意味し、例えば、ジメチルアセトアミド又はＮ−メチルピロリドン１００質量部に対し、１質量部以上溶解する樹脂であることが好適である。具体的には、例えば、ポリエーテルサルホン樹脂、ポリサルホン樹脂、シクロオレフィン系樹脂（（変性）ノルボルネン系樹脂等）、ポリカーボネート樹脂、フッ素化芳香族ポリマー、ポリ（アミド）イミド樹脂、ポリアミド樹脂、アラミド樹脂、ポリアリレート樹脂等の１種又は２種以上を使用することができる。これらの中でも、上記樹脂成分は、ポリエーテルサルホン樹脂、シクロオレフィン系樹脂、ポリカーボネート樹脂、フッ素化芳香族ポリマー及びポリ（アミド）イミド樹脂からなる群より選択される少なくとも１種を含むものであることが好ましく、これにより、色素の吸収性能の劣化をより充分に抑制でき、耐光性に特に優れる光選択透過フィルターとすることが可能になる。より好ましくは、フッ素化芳香族ポリマー及び／又はポリ（アミド）イミド樹脂を用いることであり、これにより、上記樹脂層が色素をより均一に分散又は溶解された状態となり、また、耐光性に特に優れる光選択透過フィルターを与えることが可能になる。このように、上記樹脂成分がフッ素化芳香族ポリマー及び／又はポリ（アミド）イミド樹脂を含む形態は、本発明の特に好適な形態の１つである。更に好ましくは、ポリ（アミド）イミド樹脂を少なくとも含むことである。また、ポリ（アミド）イミド樹脂の中でも、ポリイミド樹脂が好適である。
　【００２４】
上記樹脂成分は、上述したようにフッ素化芳香族ポリマー及び／又はポリ（アミド）イミド樹脂を含むことが特に好適であるが、上記樹脂成分がフッ素化芳香族ポリマー及び／又はポリ（アミド）イミド樹脂を含む場合、その他の樹脂成分の含有量は、フッ素化芳香族ポリマーやポリ（アミド）イミド樹脂による効果を充分に発揮させるため、樹脂成分の全量１００重量部に対し、３０重量部以下であることが好適である。より好ましくは２０重量部以下、更に好ましくは１０重量部以下、特に好ましくは、その他の樹脂成分を実質的に含まないことである。
　【００２５】
上記樹脂成分としてはまた、架橋反応（硬化反応）することが可能な反応性基（例えば、エポキシ基やオキセタン環、エチレンスルフィド基等の開環重合性基や、アクリル基、メタクリル基、ビニル基等のラジカル硬化性基及び／又は付加硬化性基）を有するものであってもよい。
上記樹脂成分がそのまま、上記樹脂層を構成する樹脂成分となっていてもよいし、該樹脂成分が架橋反応等により変化したものが、上記樹脂層を構成する樹脂成分となっていてもよい。
なお、架橋可能な反応性基の量や成膜時の架橋反応をどの程度進めるかは特に限定されるものではないが、樹脂の溶剤可溶性が維持できる程度であることが好ましい。
　【００２６】
ここで、上記樹脂成分として、溶剤可溶性樹脂に替えて、溶剤可溶性樹脂原料（溶剤可溶性の樹脂原料、すなわち樹脂原料であって溶剤可溶性であるものをいい、樹脂としては溶剤可溶性樹脂に該当しないもの。）や、液状樹脂原料（液状の樹脂原料、すなわち樹脂原料であって液状であるものをいい、樹脂としては溶剤可溶性樹脂に該当しないもの。）を用いることも考えられる。しかしながら、樹脂形成成分（バインダー樹脂）として溶剤可溶性樹脂を用いると、溶剤可溶性樹脂原料及び液状樹脂原料を用いた場合に比べて、著しく耐光性に優れる。これは、溶剤可溶性樹脂が溶剤可溶性樹脂原料及び液状樹脂原料よりも、分散した色素の吸収性能の劣化を引き起こしにくいためである。理由として、溶剤可溶性樹脂は、そのモノマーや前駆体から調整し、重合や反応を完結させている。更に精製を行う場合もある。こうして得られた溶剤可溶性樹脂には、色素の劣化、分解を促進させる未反応物、反応性末端、イオン性基、触媒、酸・塩基性基等がほとんどないと考えられる。一方、溶剤可溶性樹脂原料及び液状樹脂原料は、このような色素の劣化、分解を促進させる因子が多く残っている。また、色素を分散させた状態で、色素の吸収性能や吸収スペクトルを保持したまま、溶剤可溶性樹脂原料及び液状樹脂原料の重合や反応を完結させることが難しい（未反応部位が多くなり、所望の物性も充分に得られない。）。そのため、同じ色素を分散させても、樹脂形成成分（バインダー樹脂）の違いにより、樹脂層の耐光性が異なる。したがって、耐光性の観点からは、少なくとも溶剤可溶性樹脂を用いることが好適である。このような溶剤可溶性樹脂の中でも、本発明ではフッ素化芳香族ポリマー及び／又はポリ（アミド）イミド樹脂を用いることが特に好ましく、これにより、耐光性に著しく優れる光選択透過フィルターを実現している。
　【００２７】
上記フッ素化芳香族ポリマーとしては、少なくとも１以上のフッ素基を有する芳香族環と、エーテル結合、ケトン結合、スルホン結合、アミド結合、イミド結合及びエステル結合の群より選ばれた少なくとも１つの結合とを含む繰り返し単位により構成された重合体等が挙げられ、具体的には、例えば、フッ素原子を有するポリイミド、ポリエーテル、ポリエーテルイミド、ポリエーテルケトン、ポリエーテルスルホン、ポリアミドエーテル、ポリアミド、ポリエーテルニトリル、ポリエステル等が挙げられる。これらの中でも、少なくとも１つ以上のフッ素基を有する芳香族環と、エーテル結合とを含む繰り返し単位を必須部位として有する重合体であることが好ましく、下記一般式（１−１）又は（１−２）で表される繰り返し単位を含む、フッ素原子を有するポリエーテルケトンがより好ましい。中でも特に、フッ素化ポリエーテルケトン（ＦＰＥＫ）が好適である。
なお、一般式（１−１）又は（１−２）で表される繰り返し単位は、同一でも異なっていてもよく、ブロック状、ランダム状等の何れの形態であってもよい。
　【００２８】
　【化１】
　【００２９】
上記一般式（１−１）中、Ｒ１は炭素数１〜１５０の芳香族環を有する２価の有機鎖を表す。Ｚは２価の鎖又は直接結合を表す。ｘ及びｙは０以上の整数であり、ｘ＋ｙ＝１〜８を満たし、同一又は異なって、芳香族環に結合しているフッ素原子の数を表す。ｎ１は、重合度を表し、２〜５０００の範囲内が好ましく、５〜５００の範囲内がより好ましい。上記一般式（１−２）中、Ｒ２は、置換基を有していてもよい、炭素数１〜１２のアルキル基、炭素数１〜１２のアルコキシ基、炭素数１〜１２のアルキルアミノ基、炭素数１〜１２のアルキルチオ基、炭素数６〜２０のアリール基、炭素数６〜２０のアリールオキシ基、炭素数６〜２０のアリールアミノ基又は炭素数６〜２０のアリールチオ基を表す。Ｒ３は、炭素数１〜１５０の芳香族環を有する２価の有機鎖を表す。ｚは、芳香族環に結合しているフッ素原子の数であり、１又は２である。ｎ１は、重合度を表し、２〜５０００の範囲内が好ましく、５〜５００の範囲内がより好ましい。
　【００３０】
上記一般式（１−１）において、ｘ＋ｙは２〜８の範囲内が好ましく、４〜８の範囲内がより好ましい。また、エーテル構造部分（−Ｏ−Ｒ１−Ｏ−）が芳香族環に結合する位置としては、Ｚに対してパラ位であることが好ましい。
　【００３１】
上記一般式（１−１）及び（１−２）において、Ｒ１及びＲ３は２価の有機鎖であるが、例えば、下記の構造式群（２）で表されるいずれか一つ、又は、その組み合わせの有機鎖であることが好ましい。
　【００３２】
　【化２】
　【００３３】
上記構造式群（２）中、Ｙ１〜Ｙ４は、同一若しくは異なって、水素基又は置換基を表し、該置換基は、ハロゲン原子、又は、置換基を有していてもよい、アルキル基、アルコキシ基、アルキルアミノ基、アルキルチオ基、アリール基、アリールオキシ基、アリールアミノ基若しくはアリールチオ基を表す。
　【００３４】
上記Ｒ１及びＲ３のより好ましい具体例としては、下記の構造式群（３）で表される有機鎖が挙げられる。
　【００３５】
　【化３】
　【００３６】
上記一般式（１−１）において、Ｚは、２価の鎖又は直接結合していることを表す。当該２価の鎖としては、例えば、下記構造式群（４）（構造式（４−１）〜（４−１３））で表される鎖であることが好ましい。
　【００３７】
　【化４】
　【００３８】
上記構造式群（４）中、Ｘは、炭素数１〜５０の２価の有機鎖であるが、例えば、上述した構造式群（３）で表される有機鎖が挙げられ、その中でもジフェニルエーテル鎖、ビスフェノールＡ鎖、ビスフェノールＦ鎖、フルオレン鎖が好ましい。
　【００３９】
上記一般式（１−２）中のＲ２において、アルキル基としては、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ヘキシル基、ヘプチル基、オクチル基、ノニル基、デシル基、ウンデシル基、ドデシル基、２−エチルヘキシル基等が好適である。
上記アルコキシ基としては、メトキシ基、エトキシ基、プロポキシ基、イソプロポキシ基、ブトキシ基、ペンチルオキシ基、ヘキシルオキシ基、２−エチルヘキシルオキシ基、オクチルオキシ基、ノニルオキシ基、デシルオキシ基、ウンデシルオキシ基、ドデシルオキシ基、フルフリルオキシ基、アリルオキシ基等が好適である。
上記アルキルアミノ基としては、メチルアミノ基、エチルアミノ基、ジメチルアミノ基、ジエチルアミノ基、プロピルアミノ基、ｎ−ブチルアミノ基、ｓｅｃ−ブチルアミノ基、ｔｅｒｔ−ブチルアミノ基等が好適である。
上記アルキルチオ基としては、メチルチオ基、エチルチオ基、プロピルチオ基、ｎ−ブチルチオ基、ｓｅｃ−ブチルチオ基、ｔｅｒｔ−ブチルチオ基、ｉｓｏ−プロピルチオ基等が好適である。
　【００４０】
上記アリール基としては、フェニル基、ベンジル基、フェネチル基、ｏ−、ｍ−又はｐ−トリル基、２，３−又は２，４−キシリル基、メシチル基、ナフチル基、アントリル基、フェナントリル基、ビフェニリル基、ベンズヒドリル基、トリチル基、ピレニル基等が好適である。
上記アリールオキシ基としては、フェノキシ基、ベンジルオキシ基、ヒドロキシ安息香酸及びそのエステル類（例えば、メチルエステル、エチルエステル、メトキシエチルエステル、エトキシエチルエステル、フルフリルエステル及びフェニルエステル等）由来の基、ナフトキシ基、ｏ−、ｍ−又はｐ−メチルフェノキシ基、ｏ−、ｍ−又はｐ−フェニルフェノキシ基、フェニルエチニルフェノキシ基、クレソチン酸及びそのエステル類由来の基等が好適である。
上記アリールアミノ基としては、アニリノ基、ｏ−、ｍ−又はｐ−トルイジノ基、１，２−又は１，３−キシリジノ基、ｏ−、ｍ−又はｐ−メトキシアニリノ基、アントラニル酸及びそのエステル類由来の基等が好適である。
上記アリールチオ基としては、フェニルチオ基、フェニルメタンチオ基、ｏ−、ｍ−又はｐ−トリルチオ基、チオサリチル酸及びそのエステル類由来の基等が好適である。
　【００４１】
上記Ｒ２としては、これらのうち、置換基を有していてもよい、アルコキシ基、アリールオキシ基、アリールチオ基、アリールアミノ基が好ましい。但し、Ｒ２には、二重結合又は三重結合が含まれていてもよいし、含まれていなくてもよい。
　【００４２】
上記一般式（１−２）中のＲ２における置換基としては、上述のような炭素数１〜１２のアルキル基；フッ素、塩素、臭素、ヨウ素等のハロゲン原子；シアノ基、ニトロ基、カルボキシエステル基等が好適である。また、これら置換基の水素がハロゲン化されていてもよいし、されていなくてもよい。これらの中でも、好ましくは、ハロゲン原子、水素がハロゲン化されていてもよいし、されていなくてもよいメチル基、エチル基、プロピル基、イソプロピル基、ブチル基、ペンチル基、ヘキシル基及びカルボキシエステル基である。
　【００４３】
上記ポリ（アミド）イミド樹脂とは、狭義のポリイミド樹脂（イミド結合を含み、アミド結合を含まない樹脂を意味し、ここでいうアミド結合とは、アミック酸の脱水反応によりイミド結合を形成し得ないアミド結合を意味する。）、及び、ポリアミドイミド樹脂（アミック酸の脱水反応によりイミド結合を形成し得ないアミド結合とイミド結合とを含む樹脂を意味する。）のいずれをも包含する。
なお、ポリイミド樹脂におけるイミド結合は、通常、アミド結合とそれに隣接するカルボキシル基とを有する結合鎖（本発明では、該結合鎖をアミック酸ともいう。通常は、アミド結合が結合した炭素原子に隣接する炭素原子にカルボキシル基が結合した構造である。）におけるアミド結合とカルボキシル基との脱水反応による形成される。
ポリアミック酸から脱水反応によりポリイミド樹脂を生成させる際、分子内に若干量のアミック酸は残存し得る。したがって、本発明で「ポリイミド樹脂」という場合は、イミド結合を含み、アミック酸の脱水反応によりイミド結合を形成し得ないアミド結合は含まないが、アミック酸の脱水反応によりイミド結合を形成し得るアミド結合は含まないか若干量含んでいてもよい。
　【００４４】
本発明で用いる溶剤可溶性樹脂としては、ポリイミド樹脂におけるイミド結合含有率（イミド化反応によりイミド化し得るアミド結合数とイミド結合数の合計量１００モル％に対するイミド結合数の割合）が８０モル％以上であるポリイミド樹脂が好ましい。より好ましくは９０モル％以上であり、更に好ましくは９５モル％以上であり、特に好ましくは９８モル％以上である。
　【００４５】
また本発明でいうポリアミドイミド樹脂とは、アミック酸の脱水反応によりイミド結合を形成し得ないアミド結合とイミド結合とを含むが、アミック酸の脱水反応によりイミド結合を形成し得るアミド結合は含まないか若干量含んでいてもよい。アミック酸の脱水反応によりイミド結合を形成し得るアミド結合を含む場合、アミド結合数（脱水反応によりイミド結合を形成し得ないアミド結合数と脱水反応によりイミド結合を形成し得るアミド結合数との和）とイミド結合数との合計量１００モル％に対する、アミック酸の脱水反応によりイミド結合を形成し得るアミド結合の含有率は、２０モル％未満が好ましく、より好ましくは１０モル％未満であり、更に好ましくは５モル％未満であり、特に好ましくは２モル％未満である。
　【００４６】
上記ポリ（アミド）イミド樹脂は、多価カルボン酸化合物と、多価アミン化合物及び／又は多価イソシアネート化合物との反応により得られるポリ（アミド）イミド樹脂の原料（ポリ（アミド）イミド前駆体とも称す）を、イミド化反応して得ることができる。
上記ポリ（アミド）イミド樹脂はまた、透明性を有することが好ましい。透明性向上のためには、芳香環が少ないほうが好ましい。中でも、芳香環を脂環又は脂肪鎖等で置き換えた構造を有することが好適である。より好ましくは、全重量１００％中の芳香環の重量が６５％以下、更に好ましくは４５％以下、特に好ましくは３０％以下である。
　【００４７】
上記ポリ（アミド）イミド樹脂としては、イミド結合を有する化合物であれば特に限定されないが、例えば、下記一般式（５）：
　【００４８】
　【化５】
　【００４９】
（式中、Ｒ４は、同一又は異なって、有機基を表す。）で表される繰り返し単位を有する化合物が好適である。
上記一般式（５）におけるＲ４としては、２価の有機基が好ましく、中でも、炭素数２〜３９の２価の有機基が好ましい。また、当該有機基は１種又は２種以上の炭化水素骨格を含むものが好ましい。炭化水素骨格としては、脂肪族鎖状炭化水素、脂肪族環状炭化水素又は芳香族炭化水素であることが好ましい。当該有機基はまた、複素環骨格を有するものであってもよい。
　【００５０】
上記一般式（５）におけるＲ４としてはまた、上記の炭化水素骨格及び／又は複素環骨格から選ばれる、同一又は異なる２種以上を有し、それらが炭素―炭素結合を介して、又は、炭素―炭素結合とは異なる結合基を介して、結合した骨格を含むものが好ましい。結合基としては、例えば、−Ｏ−、−ＳＯ２−、−ＣＯ−、−Ｓｉ（ＣＨ３）２−、−Ｃ２Ｈ４Ｏ−、−Ｓ−等が挙げられる。
なお、上記一般式（５）で表される繰り返し単位におけるそれぞれのＲ４としては、同一であっても異なるものであってもよい。
　【００５１】
上記Ｒ４で表される有機基は窒素原子に直接結合していてもよいし、結合基として、−Ｏ−、−ＳＯ２−、−ＣＯ−、−ＣＨ２−、−Ｃ（ＣＨ３）２−、−Ｓｉ（ＣＨ３）２−、−Ｃ２Ｈ４Ｏ−、−Ｓ−等を有していてもよい。
なお、一般式（５）におけるシクロヘキシル環における水素原子の一部又は全部が置換されていてもよいが、無置換（全て水素原子である形態）であるものが好ましい。
上記一般式（５）で表される繰り返し単位は、同一でも異なっていてもよく、ブロック状、ランダム状等の何れの形態であってもよい。
　【００５２】
上記ポリ（アミド）イミド樹脂の好ましい具体例としては、例えば、三菱ガス化学社製のネオプリムＬ−３４３０（厚さ５０μｍ、１００μｍ、２００μｍ等）等が挙げられる。なお、この製品はフィルム形状であるが、有機溶剤に可溶であるので、本発明の溶剤可溶性樹脂として好ましく使用される。
　【００５３】
上記ポリエーテルサルホン樹脂としては、住友ベークライト社製のポリエーテルサルホンＦＳ−１３００等が、シクロオレフィン系樹脂としては、日本ゼオン社製のゼオネックス、ＪＳＲ社製のアートン等が、ポリカーボネート樹脂としては、帝人社製のポリカーボネート樹脂ピュアエース等が、それぞれ好ましい例として挙げられる。
　【００５４】
上記色素が上記樹脂層中に分散されてなる形態において、色素が分散された樹脂層の形成方法としては特に限定されず、例えば、練込法や溶媒キャスト法等を採用することができる。中でも、溶媒キャスト法を採用することが好ましい。これにより、色素をより均一に分散できるため、光選択吸収性により優れた光吸収膜を形成することができる。また、色素を高濃度で分散可能であるため薄膜化が可能であり、撮像レンズ素子等の部材の低背化要求に応えることができる。更に、比較的低温で樹脂層を形成することができるため、比較的耐熱性の低い色素も使用することができる。このように、上記樹脂層が溶媒キャスト法によって形成されてなる形態は、本発明における好適な実施形態の１つである。
一方、練込法においては、樹脂を高温（例えば、２００℃以上）で溶融して用いることになるため、耐熱性の低い色素は分解してしまい、充分な光吸収性が得られないおそれがある。また、色素の分散性も充分に高くならないおそれがある。
　【００５５】
上記溶媒キャスト法において使用する溶媒（有機溶剤）としては、上記樹脂層を形成するための樹脂形成成分を溶解可能であれば特に限定されず、樹脂の種類に応じて適宜選択可能であるが、例えば、メチルエチルケトン（２−ブタノン）、メチルイソブチルケトン（４−メチル−２−ペンタノン）、シクロヘキサノン等のケトン類；ＰＧＭＥＡ（２−アセトキシ−１−メトキシプロパン）、エチレングリコールモノ−ｎ−ブチルエーテル、エチレングリコールモノエチルエーテル、エチレングリコールエチルエーテルアセテート等のグリコール誘導体（エーテル化合物、エステル化合物、エーテルエステル化合物等）；Ｎ，Ｎ−ジメチルアセトアミド等のアミド類；酢酸エチル、酢酸プロピル、酢酸ブチル等のエステル類；Ｎ−メチル−ピロリドン（より具体的には、１−メチル−２−ピロリドン等）等のピロリドン類；トルエン、キシレン等の芳香族炭化水素類；シクロヘキサン、ヘプタン等の脂肪族炭化水素類；ジエチルエーテル、ジプチルエーテル等のエーテル類；等が好適である。より好ましくは、メチルエチルケトン、酢酸エチル、Ｎ，Ｎ−ジメチルアセトアミドである。
　【００５６】
上記溶媒の使用量としては、上記樹脂成分の総量１００質量％に対して、１５０質量％以上であることが好ましく、また、１９００質量％以下が好ましい。より好ましくは、２００質量％以上であり、また、１４００質量％以下である。
　【００５７】
上記溶媒キャスト法においては、溶媒に樹脂層を形成するための樹脂形成成分（バインダー樹脂）を溶解して得られる溶液に色素を均一に分散させた分散液を、基材上に塗布・乾燥（硬化）することにより樹脂層を製膜（成膜）することになる。
　【００５８】
本発明の光選択透過フィルターを構成する樹脂シートの形態としては、例えば、（ｉ）樹脂シートが、色素及び樹脂成分を含有する樹脂層と支持体フィルムとからなる形態、及び、（ｉｉ）樹脂シートが、色素及び樹脂成分を含有する樹脂層からなる形態（すなわち、支持体フィルムからなり、色素及び樹脂成分が該支持体フィルムに含有される形態）を挙げることができる。中でも、（ｉ）の形態とすることが好ましい。より好ましくは、樹脂層が、支持体フィルムの両面に形成された形態である。このように、上記樹脂シートが、色素及び樹脂成分を含有する樹脂層と支持体フィルムとからなり、該樹脂層が、支持体フィルムの両面に形成された形態は、本発明の好適な形態の１つである。
　【００５９】
上記（ｉ）の形態の場合、色素の分散困難な支持体フィルムであっても、表面に樹脂層をコートすることにより本発明の効果を付与できる。樹脂層の色素濃度や樹脂層のコート厚さを変えることにより、吸収特性の制御が可能であるため、例えば樹脂層を極薄コートすることにより支持体フィルムの膜厚をほとんど変えずに本発明の効果を付与したり、支持体フィルムの厚み調整に利用したり、樹脂層を支持体フィルムの表面傷削減等の表面改質に利用したりすることもできる。
また、樹脂層を支持体フィルムで挟み込んだ樹脂シートとすることも好ましい。
　【００６０】
上記（ｉ）の形態において、支持体フィルムとしては、透明性に優れる樹脂を用いることが好ましい。具体的には、例えば、（メタ）アクリル樹脂、エポキシ樹脂、ポリカーボネート樹脂、ポリエステル樹脂、フッ素化芳香族ポリマー、ポリ（アミド）イミド樹脂、ポリアミド樹脂、アラミド樹脂、ポリシクロオレフィン樹脂（シクロオレフィン樹脂ともいう）等を用いることができる。これらの中でも、反射膜を蒸着形成する際の耐熱性に優れる点で、フッ素化芳香族ポリマー、ポリ（アミド）イミド樹脂、ポリアミド樹脂、アラミド樹脂、ポリシクロオレフィン樹脂、エポキシ樹脂、アクリル樹脂が好ましい。このように上記支持体フィルムが、フッ素化芳香族ポリマー、ポリ（アミド）イミド樹脂、ポリアミド樹脂、アラミド樹脂、ポリシクロオレフィン樹脂、エポキシ樹脂及びアクリル樹脂からなる群より選択される少なくとも１種により形成されるものである形態は、本発明の好適な実施形態の１つである。
　【００６１】
上記支持体フィルムを構成する樹脂としてはまた、色素の分散性が高いために光選択吸収性により優れた光吸収膜を形成することができるとともに、色素を高濃度で分散可能であるため薄膜化が可能である点で、溶剤可溶性樹脂、溶剤可溶性樹脂原料及び液状樹脂原料のうちの少なくとも１種より形成される樹脂に該当するものがより好ましい。中でも、可撓性等に優れる点で、上述した溶剤可溶性樹脂に該当するものが特に好ましい。
　【００６２】
上記溶剤可溶性樹脂原料とは、溶剤可溶性の樹脂原料、すなわち樹脂原料であって溶剤可溶性であるものをいう。例えば、ジメチルアセトアミド又はＮ−メチルピロリドン１００質量部に対し、１質量部以上溶解するものが好適である。また、液状樹脂原料とは、液状の樹脂原料、すなわち樹脂原料であって液状であるものをいう。ここで、物が「液状である」とは、その物自体の粘度が、常温（２５℃）において１００Ｐａ・ｓ以下であることを意味する。上記粘度は、Ｂ型粘度計により測定することができる。
なお、上記樹脂原料には、樹脂の前駆体や該前駆体の原料、更に、樹脂を形成するための単量体（硬化性モノマー等）が含まれるものとする。
　【００６３】
上記溶剤可溶性樹脂原料又は液状樹脂原料として具体的には、例えば、エポキシ樹脂（化合物）、アクリル樹脂（化合物）、ビニル系単量体（（メタ）アクリル系化合物、スチレン系化合物等）、ポリ（アミド）イミド前駆体等が挙げられる。好ましくは、エポキシ樹脂（化合物）、アクリル樹脂（化合物）である。
　【００６４】
上記エポキシ樹脂とは、エポキシ基を有する化合物（エポキシ化合物）を含む硬化性組成物の硬化物である。硬化物の形態としてはエポキシ化合物をカチオン硬化触媒の存在下で光及び／又は熱硬化してなる形態、エポキシ化合物を付加的硬化剤と反応させることにより得られる硬化物の形態等が挙げられる。後者において硬化反応促進のため従来公知の硬化促進剤を併用することもできる。付加的硬化剤としては、例えば、酸無水物、多価フェノール化合物、多価アミン等が例示されるが、中でも酸無水物が好ましい。
　【００６５】
上記エポキシ化合物としては、芳香族エポキシ化合物、脂肪族エポキシ化合物、脂環式エポキシ化合物、水添エポキシ化合物等が好適であり、例えば、大阪ガスケミカル社製のフルオレンエポキシ（オンコートＥＸ−１）；ジャパンエポキシレジン社製のビスフェノールＡ型エポキシ樹脂（エピコート８２８ＥＬ）；ジャパンエポキシレジン社製の水添ビスフェノールＡ型エポキシ樹脂（エピコートＹＸ８０００）；ダイセル工業社製の脂環式液状エポキシ樹脂（セロキサイド２０２１）等が好ましく使用できる。
なお、本明細書中、エポキシ基とは、３員環のエーテルであるオキシラン環を含むものであり、狭義のエポキシ基の他、グリシジル基（グリシジルエーテル基及びグリシジルエステル基を含む）を含むものを意味する。
　【００６６】
上記エポキシ樹脂はまた、その硬化前の硬化性組成物が、可撓性を有する成分（可撓性成分）を含むことが好適である。可撓性成分を含むことにより、成形時や基板、型等からはずすときに割れない、形が崩れない、剥がれやすい、柔軟性がある等の一体感のある樹脂組成物とすることができる。
上記可撓性成分としては、上記エポキシ化合物とは異なる化合物であってもよいし、上記エポキシ化合物の少なくとも１種が可撓性成分であってもよい。
　【００６７】
上記アクリル樹脂とは、（メタ）アクリロイル基を有する化合物（（メタ）アクリロイル基含有化合物）を含む硬化性組成物の硬化物である。
上記アクリル樹脂として具体的には、ウレタンアクリレート、ポリエステルアクリレート、エポキシアクリレート、（メタ）アクリレートモノマーの（共）重合体等が挙げられる。フィルム化を容易にできる点で、上記樹脂（オリゴマー、ポリマー）と（メタ）アクリレートモノマーからなる組成物を硬化させることが好ましい。
　【００６８】
上記ポリ（アミド）イミド前駆体とは、ポリ（アミド）イミド樹脂を形成するための原料、すなわちイミド化反応に供される化合物であり、例えば、ポリアミック酸等が好適である。具体的には、例えば、日立化成工業社製のＨＰＣ−７０００−３０等が好ましく使用される。
　【００６９】
上記（ｉ）の形態の樹脂シートにおいて、支持体フィルムの材質と樹脂層に含まれる樹脂成分との好適な組み合わせとしては、例えば、支持体フィルム：ポリイミド樹脂／樹脂層：ポリイミド樹脂、支持体フィルム：ポリイミド樹脂／樹脂層：フッ素化芳香族ポリマー等が挙げられる。中でも、支持体フィルム：ポリイミド樹脂／樹脂層：ポリイミド樹脂が最も好ましい。
　【００７０】
上記（ｉ）の形態において、樹脂シートの製造方法は特に限定されないが、支持体フィルムの表面（片面又は両面）に、上述した溶剤キャスト法によって樹脂層を形成する方法が好ましい。
　【００７１】
上記（ｉｉ）の形態においては、色素を含有する樹脂層が支持体フィルムを兼ねることとなる。好適な形態については、上記樹脂層の説明において既に述べた通りである。
上記（ｉｉ）の形態において、樹脂シートの製造方法は特に限定されないが、任意の基材（樹脂フィルムやガラス板）の表面に、上述した溶剤キャスト法によって樹脂層を形成し、剥離することにより製造する方法が好ましい。
　【００７２】
本発明の光選択透過フィルターを構成する樹脂シートは、上記色素の吸収極大波長における透過率が６０％以下であることが好ましい。これにより、上記吸収極大波長付近の光を効果的に遮断することができる。透過率としてより好ましくは、５０％以下であり、更に好ましくは４０％以下であり、特に好ましくは３０％以下である。
透過率は、分光光度計（Ｓｈｉｍａｄｚｕ　ＵＶ−３１００、島津製作所社製）を用いて測定することができる。
　【００７３】
上記樹脂シートはまた、厚みが１ｍｍ以下であることが好ましい。これにより、光選択透過フィルターを充分に薄膜化することができ、光学部材等の低背化要求に応えることができる。樹脂シートの厚みとしてより好ましくは２００μｍ以下、更に好ましくは１００μｍ以下、より更に好ましくは８０μｍ以下、より一層好ましくは５０μｍ以下、特に好ましくは４０μｍ以下、最も好ましくは３０μｍ以下である。
また上記樹脂シートが、樹脂層と支持体フィルムとからなる形態においては、上記樹脂層の厚みが１０μｍ以下、支持体フィルムの厚みが１００μｍ以下であることが好ましい。
　【００７４】
本発明の光選択透過フィルターにおいて、反射膜としては、多層からなる膜であることが好適である。すなわち、上記反射膜は、光学多層膜が好ましい。また、光学多層膜としては、各波長の屈折率を制御できる無機多層膜等が、耐熱性に優れる点で好適である。無機多層膜としては、基材やその他の機能性材料層の上に、真空蒸着法、スパッタリング法等により、低屈折率材料及び高屈折率材料を交互に積層させた屈折率制御多層膜が好ましい。上記反射膜はまた、透明導電膜も好適である。透明導電膜としては、インジウム−スズ系酸化物（ＩＴＯ）等の赤外線を反射する膜としての透明導電膜が好ましい。中でも、無機多層膜が好ましい。
　【００７５】
上記無機多層膜としては、誘電体層Ａと、誘電体層Ａが有する屈折率よりも高い屈折率を有する誘電体層Ｂとを交互に積層した誘電体多層膜が好適である。
上記誘電体層Ａを構成する材料としては、屈折率が１．６以下の材料を通常用いることができ、好ましくは、屈折率の範囲が１．２〜１．６の材料が選択される。
上記材料としては、例えば、シリカ、アルミナ、フッ化ランタン、フッ化マグネシウム、六フッ化アルミニウムナトリウム等が好適である。
　【００７６】
上記誘電体層Ｂを構成する材料としては、屈折率が１．７以上の材料を用いることができ、好ましくは、屈折率の範囲が１．７〜２．５の材料が選択される。
上記材料としては、例えば、酸化チタン、酸化ジルコニウム、五酸化タンタル、五酸化ニオブ、酸化ランタン、酸化イットリウム、酸化亜鉛、硫化亜鉛、酸化インジウムを主成分とし酸化チタン、酸化錫、酸化セリウム等を少量含有させたもの等が好適である。
　【００７７】
上記誘電体層Ａ及び誘電体層Ｂの各層の厚みは、通常、遮断しようとする光の波長をλ（ｎｍ）とすると０．１λ〜０．５λの厚みであることが好ましい。厚みが上記範囲外になると、屈折率（ｎ）と膜厚（ｄ）との積（ｎ×ｄ）がλ／４で算出される光学的膜厚と大きく異なって反射・屈折の光学的特性の関係が崩れてしまい、特定波長の遮断・透過をするコントロールができなくなるおそれがある。
　【００７８】
上記誘電体層Ａと誘電体層Ｂとを積層する方法については、これら材料層を積層した誘電体多層膜が形成される限り特に制限はないが、例えば、ＣＶＤ法、スパッタ法、真空蒸着法等により、誘電体層Ａと誘電体層Ｂとを交互に積層することにより誘電体多層膜を形成することができる。
　【００７９】
上記無機多層膜等の反射膜は、上記方法等により好適に形成することができるが、蒸着によって光選択透過フィルターが変形しカールしたり、割れが生じたりする可能性を小さくするために、以下の方法を用いることができる。具体的には、離型処理したガラス等の仮の基材に蒸着層を形成し、光選択透過フィルターの基材となる樹脂シートに、該蒸着層を転写して反射膜を形成する反射膜の転写方法が好適である。この場合、樹脂シートには、接着層を形成しておくことが好ましい。
また樹脂シートが有機材料、具体的には、樹脂組成物により形成される場合には、未硬化、半硬化状態の樹脂シート（樹脂組成物）に、上記誘電体層等を蒸着した後、樹脂シートを硬化する方法が好適である。このような方法を用いると、多層蒸着後の冷却時に、基材が流動的となり、液状に近い状態となるために、樹脂組成物と誘電体層等との熱膨張係数差が問題にならず、光選択透過フィルターの変形（カール）を抑制することができる。
　【００８０】
このように樹脂シートへの反射膜（好ましくは光学多層膜、より好ましくは無機多層膜）の形成には、蒸着法を用いることが好適であるが、蒸着温度は、１００℃以上とすることが好適である。より好ましくは１２０℃以上、更に好ましくは１５０℃以上である。このような高温で蒸着すると、無機膜（無機多層膜を構成する無機膜）が緻密で硬くなり、種々の耐性が向上し、歩留りが向上する等の利点がある。そのため、このような蒸着温度に耐える樹脂シート及び色素を用いることは、非常に意味がある。また、このような高温での蒸着には、樹脂シートを構成する樹脂層又は支持体フィルムとして、線膨張係数の低い樹脂層又は支持体フィルムを用いることが好適である。これにより、無機・有機の線膨張係数の差による無機層クラックを抑制することができる。また、線膨張係数が低い樹脂層又は支持体フィルムを用いると、高温で蒸着できるだけでなく、低温で蒸着したとしても、無機膜との線膨張係数の差が小さいため、本発明の光選択透過フィルターを含む固体撮像素子を製造する場合などに採用されるリフロー工程等の製造工程での加熱環境や過酷な使用環境においても、無機・有機の線膨張係数の差による無機層クラックが生じない。
　【００８１】
上記線膨張係数が低い樹脂層又は支持体フィルムとしては、線膨張係数が６０ｐｐｍ以下のものが好ましい。より好ましくは５０ｐｐｍ以下、更に好ましくは３０ｐｐｍ以下、最も好ましくは１０ｐｐｍ以下である。
上記線膨張係数が低い樹脂層又は支持体フィルムとして具体的には、例えば、ポリ（アミド）イミド樹脂、アラミド樹脂、ポリアミド樹脂、エポキシ樹脂、ポリエステル樹脂、有機無機ハイブリッド樹脂等が好適であり、上記樹脂層又は支持体フィルムが、これらからなる群より選択される少なくとも１種により形成されるものである形態は、本発明の好適な形態の１つである。また、樹脂を延伸する；無機微粒子等を分散させる；ガラスクロスを用いる；架橋密度を上げる；コンポジット化する；結晶化させる；等によっても線膨張係数を低下させることができる。
　【００８２】
上記反射膜は、上記樹脂シートの少なくとも一方の表面に形成されてなるものである。上記反射膜は、樹脂シートの一方の表面のみに形成されていてもよいし、樹脂シートの両面に形成されていてもよいが、両面に形成されることが好ましい。これにより、本発明に係る光選択透過フィルターの反りや反射膜の割れを低減することができる。また、樹脂シートが上記樹脂層と支持体フィルムとからなる形態においては、反射膜は、該樹脂層の表面に形成されることが好ましい。
　【００８３】
上述したように上記反射膜は光学多層膜であることが好ましいが、その積層数は、樹脂シートの一方の表面にのみ上記光学多層膜を有する場合は、１０〜８０層の範囲が好ましく、より好ましくは２５〜５０層の範囲である。一方、樹脂シートの両面に上記光学多層膜を有する場合は、上記光学多層膜の積層数は、樹脂シート両面の積層数の合計として、１０〜８０層の範囲が好ましく、より好ましくは２５〜５０層の範囲である。
また、上記反射膜の厚みは、０．５〜１０μｍであることが好ましい。より好ましくは、２〜８μｍである。反射膜が上記樹脂シートの両面に形成される形態においては、両面の反射膜の合計の厚みが上記範囲内にあることが好ましい。
　【００８４】
本発明に係る光選択透過フィルターの他の好ましい形態として、上述の樹脂シートとは異なる樹脂フィルムの少なくとも一方の表面に反射膜が形成され、更に該反射膜の表面に、上述の樹脂シート（好ましくは色素を含有する樹脂層）が形成される形態を挙げることができる。すなわち、上記樹脂フィルムの表面に、反射膜、上記樹脂シート（樹脂層のみからなる樹脂シート、又は、樹脂層と支持体フィルムとからなる樹脂シート）の順に積層されてなる形態である。反射膜は樹脂フィルムの両面に設けられてなることが好ましい。その場合、樹脂シートは、一方の反射膜の表面に積層されていても、２つの反射膜の表面に積層されていてもよい。この場合、樹脂フィルムは、上述した支持体フィルムと同様のものを使用することができ、好適な形態についても支持体フィルムの場合と同様である。
　【００８５】
本発明の光選択透過フィルターは、所望の光の透過率を選択的に低減させるという機能以外の種々の他の機能を有していてもよい。例えば、光選択透過フィルターとして好ましい形態の１つである赤外カットフィルターの場合、紫外線を遮蔽する機能等の赤外カット以外の各種機能を有する形態や、強靱性、強度等の赤外カットフィルターの物性を向上させる機能を有する形態を挙げることができる。
このような、本発明の光選択透過フィルターが上記他の機能を有する形態においては、樹脂シートの一方の表面に上記反射膜を形成し、他方の表面に上記他の機能を付与するための機能性材料層を形成することが好ましい。
上記機能性材料層は、例えば、上述のＣＶＤ法、スパッタリング法、真空蒸着法により、直接、上記樹脂シート上に形成したり、離型処理された仮の基材上に形成された機能性材料層を樹脂シート上に接着剤で張り合わせたりすることにより得ることができる。また、原料物質を含有する液状組成物を樹脂シートに塗布、乾燥して製膜することによっても得ることができる。
　【００８６】
本発明の光選択透過フィルターはまた、厚み（樹脂シートと反射膜との合計の厚み）が１ｍｍ以下であることが好ましい。ここで、光選択透過フィルターの厚みとは、該光選択透過フィルターの最大厚みをいう。上記光選択透過フィルターの厚みとしてより好ましくは、薄膜化要求に対応し得る点で、２００μｍ以下であり、更に好ましくは１５０μｍ以下、特に好ましくは１２０μｍ以下、最も好ましくは６０μｍ以下である。また、耐リフロー性、特に２６０℃の温度における耐熱性に優れる点で、上記光選択透過フィルターの厚みとして好ましくは、１μｍ以上であり、より好ましくは１０μｍ以上、更に好ましくは３０μｍ以上である。光選択透過フィルターの厚みの範囲としては、１〜１５０μｍであることが好ましく、より好ましくは１０〜１２０μｍ、更に好ましくは３０〜１２０μｍ、特に好ましくは３０〜６０μｍである。
　【００８７】
上記光選択透過フィルターの厚みを１ｍｍ以下とすることにより、光選択透過フィルターをより小型化、軽量化することができ、種々の用途に好適に用いることができる。特に、光学部材等の光学用途において好適に用いることができる。光学用途においては、他の光学部材と同様に光選択透過フィルターも小型化、軽量化が強く求められている。本発明の光選択透過フィルターは、厚みを１ｍｍ以下とすることで、薄膜化をより達成でき、特に撮像レンズ等のレンズユニットに用いた場合に、レンズユニットの低背化を実現することができる。言い換えると１ｍｍ以下の薄い光選択透過フィルターを光学部材として用いた場合に、光路を短縮することができ、該光学部材を小さくすることができる。具体的には、カメラモジュールにおいては、レンズと光選択透過フィルターとシーモスセンサーとを有することとなる。
　【００８８】
図１及び図２に、カメラモジュールの一例を、模式的に示した。なお、これらの図は、エレクトロニックジャーナル第８１回テクニカルセミナー（Ｅｌｅｃｔｒｏｎｉｃ　Ｊｏｕｒｎａｌ　第８１回　Ｔｅｃｈｎｉｃａｌ　Ｓｅｍｉｎａｒ）資料を参照した。
図１に示すように、光選択透過フィルターは、所望の波長の光（カメラモジュールにおいては、例えば、７００ｎｍ以上の波長の光）をカットし、シーモスセンサーの誤作動を防ぐ役割がある。カメラモジュールに光選択透過フィルターを入れると、焦点距離が伸びるため、バックフォーカスが伸張し、モジュールが大きくなる。光選択透過フィルターの厚みがｔで屈折率ｎが１．５程度の場合、図２に示すように、バックフォーカスが約ｔ／３伸張し、モジュールが大きくなるが、光選択透過フィルターを薄くして、焦点距離を短くし、モジュールを小さくすることができる。それにより、例えば、１／１０インチの光学サイズの光路長としては、光選択透過フィルターなしの場合の１２０％以下とすることが好ましい。より好ましくは１１０％以下であり、更に好ましくは、１０５％以下である。
　【００８９】
本発明の光選択透過フィルターは、光の透過率を選択的に低減するものである。低減させる光としては、１０ｎｍ〜１００μｍの間のものであればよく、用いる用途により選択することができる。低減させる光の波長に応じて赤外線カットフィルター、紫外線カットフィルター、赤外・紫外線カットフィルター等とすることができるが、中でも、６５０ｎｍ〜１０μｍの赤外光と２００〜３５０ｎｍの紫外光とを低減し、それ以外の光を透過するものであることが好ましい。すなわち、上記光選択透過フィルターは赤外・紫外線カットフィルターであることが好ましい。これにより、光遮断特性の入射角依存性を低減するという本発明の作用効果をより充分に発揮することができる。
赤外線カットフィルターは、赤外線領域である６５０ｎｍ〜１０μｍの波長を有する光のうち、いずれかの波長（範囲）の光を選択的に低減する機能を有するフィルターであればよい。選択的に低減する波長の範囲としては、６５０ｎｍ〜２．５μｍ、６５０〜１０００ｎｍ又は８００ｎｍ〜１μｍであることが好適である。これらの範囲の波長の少なくとも一つを選択的に低減するフィルターもまた、上記赤外線カットフィルターに含まれる。選択的に低減する波長の範囲としては、近赤外線領域である６５０ｎｍ〜１μｍであることがより好ましい。
紫外線カットフィルターは、紫外線を遮断する機能を有するフィルターである。選択的に低減する波長の範囲としては、２００〜３５０ｎｍであることが好ましい。
赤外・紫外線カットフィルターは、紫外線及び赤外線の両方を遮断する機能を有するフィルターである。選択的に低減する波長の範囲は、上述と同様であることが好ましい。
　【００９０】
本発明の光選択透過フィルターが赤外線カットフィルターである形態においては、６５０〜１０００ｎｍの赤外線の透過率を選択的に５％以下に低減するものが好ましい。その他の波長域の透過率は、７５％以上であることが好ましいが、フィルターの用途に応じて特定の波長域の透過率のみが高いものであってもよい。例えば、上記赤外線カットフィルターをカメラモジュールとして用いる場合には、赤外光の透過率が５％以下であり、可視光（４００〜６００ｎｍ）の透過率が８０％以上であることが好適である。より好ましくは８５％以上である。また、可視光の中でも４５０〜５５０ｎｍの波長域の光の透過率が８５％以上であることが好ましく、９０％以上であることがより好適である。なお、上記赤外線カットフィルターにおいては、その他（赤外線領域以外）の波長の透過率としては、より好ましくは８５％以上であり、更に好ましくは９０％以上である。すなわち、上記光選択透過フィルターは、波長が４００〜６００ｎｍにおける光の透過率が８０％以上であり、かつ８００〜１０００ｎｍにおける透過率が５％以下の赤外線カットフィルターであることが好ましい。
透過率は、分光光度計（Ｓｈｉｍａｄｚｕ　ＵＶ−３１００、島津製作所社製）を用いて測定することができる。
　【００９１】
本発明の光選択透過フィルターが紫外線カットフィルターである形態においては、２００〜３５０ｎｍの紫外線の透過率を選択的に５％以下に低減するものが好ましい。その他の波長域の透過率は、７５％以上であることが好ましい。
　【００９２】
本発明の光選択透過フィルターが赤外・紫外線カットフィルターである形態においては、６５０ｎｍ〜１０μｍの赤外光と２００〜３５０ｎｍの紫外光とを選択的に５％以下に低減するものが好ましく、その他の波長域の透過率は、７５％以上であることが好ましい。
　【００９３】
上記光選択透過フィルターとして好ましくは、６００〜８００ｎｍの波長域に吸収極大を有する色素を含有する樹脂層を有する樹脂シートの少なくとも一方の表面に、反射膜が形成されてなるものであるが、この構成によって、光遮断特性の入射角依存性をより充分に低減することができる。光遮断特性の入射角依存性は、分光光度計（Ｓｈｉｍａｄｚｕ　ＵＶ−３１００、島津製作所社製）を用いて、入射角を変えた透過率（例えば０°、２０°、２５°、３０°等。入射角０°における透過率とは、光選択透過フィルターの厚み方向から光が入射するようにして測定される透過率であり、入射角２０°における透過率とは、光選択透過フィルターの厚み方向に対して２０°傾いた方向から光が入射するようにして測定される透過率である）を測定し、そのスペクトル変化量により評価できる。
なお、光遮断特性の入射角依存性は、樹脂シートの吸収により充分に低減されている必要があり、入射角の変化に対して透過率スペクトルが変化しないこと、又は、その変化の程度が小さいことが好ましい。具体的には、入射角０°を２０°に変えても（より好ましくは２５°に変えても）、透過率８０％以上の領域において、透過率のスペクトルが変化しないことが好ましく、より好ましくは、透過率７０％以上の領域において透過率のスペクトルが変化しないことであり、更に好ましくは、透過率６０％以上の領域において透過率のスペクトルが変化しないことである。最も好ましくは、いずれの透過率領域においてもスペクトルが変化しないことである。
　【００９４】
上述したように、本発明の光選択透過フィルターは、光遮断特性の入射角依存性を充分に低減することができるとともに、充分な薄膜化が可能であるため、自動車や建物等のガラス等に装着される熱線カットフィルター等として有用であるのみならず、カメラモジュール（固体撮像素子ともいう）用途における光ノイズを遮断し視感度補正するためのフィルターとして有用である。中でも、本発明の光選択透過フィルターは、薄型化・軽量化が進むデジタルスチルカメラや携帯電話用カメラ等のカメラモジュールに用いられるフィルターとして有用である。カメラモジュールは、通常、レンズユニット（撮像レンズ）部と、光選択透過フィルター、及び、ＣＣＤやＣＭＯＳ等のセンサー部を備える。また、本発明の光選択透過フィルターを用いたカメラモジュールは、上述したように、通常、レンズユニット（撮像レンズ）部と、ＣＣＤやＣＭＯＳ等のセンサー部との間に配置される。このように本発明の光選択透過フィルター、レンズユニット部、及び、センサー部を少なくとも有する固体撮像素子もまた、本発明の１つである。通常、反射型の光選択透過フィルターを用いた固体撮像素子では、入射角依存性に起因する影響（入射角による色むらの発生等）を抑制するために、多数のレンズを使用してレンズユニット部を構成するが、本発明の固体撮像素子では、上述した光選択透過フィルターを用いることによって、入射角依存性に起因する影響が充分に排除されるため、レンズユニット部を構成するレンズの枚数を少なくすることができ、薄型化・軽量化がより実現されることになる。
なお、レンズユニット部については、ＷＯ２００８／０８１８９２に記載の形態が好ましく採用できる。
　【００９５】
また本発明の光選択透過フィルターは、上述したように、極めて高レベルの耐光性を発揮できることから、視野角依存性の抑制された光選択透過性を長期にわたり維持することができる。したがって、直射日光の下で使用される等、屋外使用の可能性がある固体撮像素子にも好適に用いることができる。このような固体撮像素子としては、例えば、携帯電話、デジタルカメラ、車載用カメラ、監視カメラ、表示素子（ＬＥＤ等）等が挙げられるが、このように本発明の光選択透過フィルターを用いてなる、携帯電話用カメラ、デジタルカメラ、車載用カメラ、監視カメラ、及び、表示素子もまた、本発明の好適な実施形態の１つである。
　【発明の効果】
　【００９６】
本発明の光選択透過フィルターは、上述の構成よりなり、所望の波長の光を効果的に遮断することができるとともに、光遮断特性の入射角依存性が充分に低減された光選択透過フィルターである。したがって、本発明の光選択透過フィルターを用いた固体撮像素子（カメラモジュール）は、反射型の光選択透過フィルターを用いることにより課題となった入射角による色むらの発生が抑制された画像を取り込むことができる。また、充分な薄膜化も可能であるため、薄型化・軽量化が求められる用途において特に好適に用いることができる。具体的には、オプトデバイス用途、表示デバイス用途、機械部品、電気・電子部品等の様々な用途に好適に用いることができ、特にカメラモジュール用ＩＲカットフィルターとして特に有用である。また、高レベルの耐光性を示すことができるため、直射日光に暴露される可能性がある用途等、厳しい耐光性が要求される用途に好ましく使用される。
　【図面の簡単な説明】
　【００９７】
　【図１】：カメラモジュールの構成を示す断面模式図である。
　【図２】：光選択透過フィルターの有無によるバックフォーカスの伸張を示す模式図である。
　【図３】：透過率測定方法を示す概念図である。
　【図４】：本発明の樹脂シートに多層膜を積層して形成した光選択透過フィルターにおける、透過率及び入射角依存性を評価したスペクトルの一例である。
　【発明を実施するための形態】
　【００９８】
以下に実施例を掲げて本発明を更に詳細に説明するが、本発明はこれらの実施例のみに限定されるものではない。特に断りのない限り、「部」は「重量部」を、「％」は「質量％」を意味するものとする。なお、耐光性及び溶解性は下記の試験方法に従って評価した。
　【００９９】
＜耐光性試験方法（蛍光灯照射試験）＞
各フィルムについて、照度１０万ルクスの蛍光灯光を室温（２５℃）で１００時間照射した。照射前後の透過率（波長７００ｎｍ光に対する値、単位：％）を評価し、透過率の変化を調べた。なお、光源として東芝製メロウラインプライドＦＨＦ３２ＥＸ−Ｄ−ＰＤを用い、光源より９５ｍｍ距離をおいた位置にサンプルを設置した。設置位置での照度は、照度計にて確認した。透過率は、分光光度計（Ｓｈｉｍａｄｚｕ　ＵＶ−３１００、島津製作所社製）にて測定した。
　【０１００】
＜溶解性試験方法＞
各フィルム（樹脂シート）を各々０．０１ｇ準備し、０．０９ｇのＤＭＡｃ（ジメチルアセトアミド）を加えた。１２０℃で１時間撹拌し、溶解するかどうかを観察し、下記基準で評価した。
○：溶解した。
×：溶解しなかった。
　【０１０１】
合成例１
＜脂環式ポリイミドの合成＞
１，２，４，５−シクロヘキサンテトラカルボン酸（アルドリッチ製、純度９５％）５部と無水酢酸（和光純薬製）４４部とを、フラスコに仕込み、攪拌しながら反応器内を窒素ガスで置換した。窒素ガス雰囲気下で溶剤の還流温度まで昇温し、１０分間溶剤を還流させた。攪拌しながら室温まで冷却し、結晶を析出させた。析出した結晶を固液分離し、乾燥して目的物（１，２，４，５−シクロヘキサンテトラカルボン酸二無水物）の結晶を得た。温度計、撹拌器、窒素導入管、側管付き滴下ロート、ディーンスターク、冷却管を備えたフラスコに、窒素気流下、４，４’−ジアミノジフェニルエーテル（和光純薬製）０．８９部と、溶剤としてＮ−メチル−２−ピロリドン７．６部を仕込んで溶解させた後、１，２，４，５−シクロヘキサンテトラカルボン酸二無水物１部を室温にて固体のまま１時間かけて分割投入し、室温下２時間撹拌した。共沸脱水剤としてキシレンを２．６部添加して１８０℃で３時間反応を行い、ディーンスタークで還流して共沸する生成水を分離した。１９０℃に昇温しながらキシレンを留去した後、冷却しポリイミドのＮ−メチル−２−ピロリドン溶液を得た。
　【０１０２】
合成例２
＜ＦＰＥＫ（フッ素化ポリエーテルケトン）の合成＞
温度計、冷却管、ガス導入管、及び、攪拌機を備えた反応器に、ＢＰＤＥ（４，４’−ビス（２，３，４，５，６−ペンタフルオロベンゾイル）ジフェニルエーテル）１６．７４部、ＨＦ（９，９−ビス（４−ヒドロキシフェニル）フルオレン）１０．５部、炭酸カリウム４．３４部、ＤＭＡｃ（ジメチルアセトアミド）９０部を仕込んだ。この混合物を８０℃に加温し、８時間反応した。反応終了後、反応溶液をブレンダーで激しく攪拌しながら、１％酢酸水溶液中に注加した。析出した反応物を濾別し、蒸留水及びメタノールで洗浄した後、減圧乾燥して、フッ素化芳香族ポリマー（ＦＰＥＫ）を得た。上記ポリマーのガラス転移点温度（Ｔｇ）は２４２℃、数平均分子量（Ｍｎ）が７０７７０、表面抵抗値は１．０×１０１８Ω／ｃｍ２以上であった。
なお、上記合成例における数平均分子量は、以下の方法により測定した。
ゲル透過クロマトグラフィー（カラム：ＴＳＫｇｅｌ　ＳｕｐｅｒＭｕｌｔｉｐｏｒｅＨＺ−Ｎ　４．６＊１５０を２本、溶離液：テトラヒドロフラン、標準サンプル：ＴＳＫポリスチレンスタンダード）により測定した。
　【０１０３】
実施例１
合成例１の溶液に、３ＰｈＯＰｃＺｎ（中心金属：Ｚｎ、フタロシアニン系色素、吸収極大波長７００ｎｍ）を０．００４８７５部加え均一に溶解させた。この色素含有ポリイミド溶液をガラス板に塗布し、１５０℃で３時間焼成した。ガラス板から剥がして亜鉛フタロシアニン色素含有ポリイミドフィルム（厚み２２μｍ）のフィルムを得た。このフィルムについて、上述した試験方法に従って耐光性及び溶解性を評価した。結果を表１に示す
。
　【０１０４】（削除）
　【０１０５】
実施例２
合成例１の溶液に、ＰｃＣｕ（中心金属：Ｃｕ、フタロシアニン系色素、吸収極大波長７０８ｎｍ）を０．００４８７５部加え均一に溶解させた。この色素含有ポリイミド溶液をガラス板に塗布し、１５０℃で３時間焼成した。ガラス板から剥がして銅フタロシアニン色素含有ポリイミドフィルム（厚み２１μｍ）を得た。このフィルムについて、上述した試験方法に従って耐光性及び溶解性を評価した。結果を表１に示す。
　【０１０６】
実施例３
合成例２のＦＰＥＫ１部に、ＤＭＡｃ６部、３ＰｈＯＰｃＺｎ（中心金属：Ｚｎ、フタロシアニン系色素、吸収極大波長７００ｎｍ）を０．００３２５部加え均一に溶解させた。この色素含有ＦＰＥＫ溶液をガラス板に塗布し、１５０℃で３時間焼成した。ガラス板から剥がして亜鉛フタロシアニン色素含有ＦＰＥＫフィルム（厚み１９μｍ）を得た。このフィルムについて、上述した試験方法に従って耐光性及び溶解性を評価した。結果を表１に示す。
　【０１０７】
実施例４
合成例２のＦＰＥＫ１部に、ＤＭＡｃ６部、ＰｃＣｕ（中心金属：Ｃｕ、フタロシアニン系色素、吸収極大波長７０８ｎｍ）を０．００３２５部加え均一に溶解させた。この色素含有ＦＰＥＫ溶液をガラス板に塗布し、１５０℃で３時間焼成した。ガラス板から剥がして銅フタロシアニン色素含有ＦＰＥＫフィルム（厚み２０μｍ）を得た。このフィルムについて、上述した試験方法に従って耐光性及び溶解性を評価した。結果を表１に示す。
　【０１０８】
比較例１
ＨＰＣ−７０００−３０（溶媒：ＤＭＡｃ、固形分濃度３０％日立化成工業社製、ポリアミドイミド前駆体）５部に、ＤＭＡｃ６部、３ＰｈＯＰｃＺｎ（中心金属：Ｚｎ、フタロシアニン系色素、吸収極大波長７００ｎｍ）を０．００４８７５部加え均一に溶解させた。この色素含有ポリアミドイミド前駆体溶液をガラス板に塗布し、２００℃で１時間焼成した。ガラス板から剥がして亜鉛フタロシアニン色素含有ポリアミドイミドフィルム（厚み１５μｍ）のフィルムを得た。このフィルムについて、上述した試験方法に従って耐光性及び溶解性を評価した。結果を表１に示す。
　【０１０９】
比較例２
ＨＰＣ−７０００−３０（溶媒：ＤＭＡｃ、固形分濃度３０％日立化成工業社製、ポリアミドイミド前駆体）５部に、ＤＭＡｃ６部、ＰｃＣｕ（中心金属：Ｃｕ、フタロシアニン系色素、吸収極大波長７０８ｎｍ）を０．００４８７５部加え均一に溶解させた。この色素含有ポリアミドイミド前駆体溶液をガラス板に塗布し、２００℃で１時間焼成した。ガラス板から剥がして亜鉛フタロシアニン色素含有ポリアミドイミドフィルム（厚み１７μｍ）のフィルムを得た。このフィルムについて、上述した試験方法に従って耐光性及び溶解性を評価した。結果を表１に示す。
　【０１１０】
比較例３
実施例１において、３ＰｈＯＰｃＺｎ０．００４８７５部の代わりに、シアニン系色素｛１Ｈ−Ｂｅｎｚｉｎｄｏｌｉｕｍ，３−ｂｕｔｙｌ−２−［５−（３−ｂｕｔｙｌ−１，３−ｄｉｈｙｄｒｏ−１，１−ｄｉｍｅｔｈｙｌ−２Ｈ−ｂｅｎｚｉｎｄｏｌ−２−ｙｌｉｄｅｎｅ）−１，３−ｐｅｎｔａｄｉｅｎ−１−ｙｌ］−１，１−ｄｉｍｅｔｈｙｌ−ｔｅｔｒａｆｌｕｏｒｏｂｏｒａｔｅ（１−）（ＨＢＦＢ、シアニン系色素、吸収極大波長６８０ｎｍ）｝を０．００１３部用いたこと以外は、実施例１と同様にして、シアニン色素含有ポリイミドフィルム（厚み２１μｍ）のフィルムを得た。このフィルムについて、上述した試験方法に従って耐光性及び溶解性を評価した。結果を表１に示す。
なお、ＨＢＦＢの構造を下記に示す。
　【０１１１】
　【化７】
　【０１１２】
比較例４
実施例３において、３ＰｈＯＰｃＺｎ０．００３２５部の代わりに、シアニン系色素｛１Ｈ−Ｂｅｎｚｉｎｄｏｌｉｕｍ，３−ｂｕｔｙｌ−２−［５−（３−ｂｕｔｙｌ−１，３−ｄｉｈｙｄｒｏ−１，１−ｄｉｍｅｔｈｙｌ−２Ｈ−ｂｅｎｚｉｎｄｏｌ−２−ｙｌｉｄｅｎｅ）−１，３−ｐｅｎｔａｄｉｅｎ−１−ｙｌ］−１，１−ｄｉｍｅｔｈｙｌ−ｔｅｔｒａｆｌｕｏｒｏｂｏｒａｔｅ（１−）（ＨＢＦＢ、シアニン系色素、吸収極大波長６８０ｎｍ）｝を０．０００９部用いたこと以外は、実施例３と同様にして、シアニン色素含有ＦＰＥＫフィルム（厚み１８μｍ）を得た。このフィルムについて、上述した試験方法に従って耐光性及び溶解性を評価した。結果を表１に示す。
　【０１１３】
　【表１】
　【０１１４】
表１より、比較例１及び２で得たフィルム（樹脂シート）自体は、溶剤（ジメチルアセトアミド）に溶解しない、すなわち溶剤不溶性の樹脂層からなるのに対し、実施例１〜４及び比較例３〜４で得たフィルム（樹脂シート）は、溶剤（ジメチルアセトアミド）に溶解する、すなわち溶剤可溶性を示す樹脂層からなるものであることが分かる。なお、比較例１及び２のフィルムの原料のポリアミドイミド前駆体は、溶剤可溶性である。
　【０１１５】
上記実施例及び比較例から以下のことがいえる。
実施例１、実施例３及び比較例１は、同じ色素（３ＰｈＯＰｃＺｎ）を用いているものの、バインダー樹脂（樹脂成分）が異なるが、このような相違の下、耐光性を対比すると、実施例１及び３に比べて、比較例１では光照射前後の透過率の差が著しく大きい。また、実施例２、実施例４及び比較例２は、同じ色素（ＰｃＣｕ）を用いているものの、バインダー樹脂が異なり、同様にこれらの耐光性を対比すると、実施例２及び４では、光照射前後の透過率が変化しなかったのに対し、比較例２では透過率に差が生じている。したがって、樹脂成分の相違によって耐光性が著しく異なることが確認された。
また実施例１と比較例３との比較、及び、実施例３と比較例４との比較から、同じ樹脂成分を用いても、色素の相違によって、耐光性に顕著な差異が生じることが確認された。
　【０１１６】
試験例
実施例１〜４及び比較例１〜４で得た各フィルム（樹脂シート）を、幅６０ｍｍ、長さ１００ｍｍの長方形にカッティングした。この両面に、蒸着基板温度１５０℃で赤外線を反射する多層膜〔シリカ（ＳｉＯ２：膜厚１２０〜１９０ｎｍ）層とチタニア（ＴｉＯ２：膜厚７０〜１２０ｎｍ）層とが交互に積層されてなるもの、積層数は片面２０層ずつ両面に蒸着：計４０層〕を蒸着により形成し、光選択透過フィルター（光学フィルター）を製造した。得られた各光選択透過フィルターについて、透過率及び入射角依存性を以下に示す方法にて測定・評価した。
　【０１１７】
＜透過率の測定・入射角依存性の評価＞
Ｓｈｉｍａｄｚｕ　ＵＶ−３１００（島津製作所社製）を用いて２００〜１１００ｎｍにおける透過率を測定した。透過率は、図３に示すように、入射光に対して垂直になるように光選択透過フィルターを設置した場合（このようにして測定された透過率スペクトルを０°スペクトルともいう。光選択透過フィルターの厚み方向から光が入射するようにして測定される。）と、入射光に対して２５°光選択透過フィルターを傾けて設置した場合（このようにして測定された透過率スペクトルを２５°スペクトルともいう。光選択透過フィルターの厚み方向に対して２５°傾いた方向から光が入射するようにして測定される。）の夫々について測定した。
　【０１１８】
その結果、スペクトルは示していないものの、色素を含有する樹脂層を有する光選択透過フィルター（実施例１〜４、比較例１〜４）では、近赤外領域での透過率スペクトルのスロープは緩やかになるものの、透過率８０％以上の領域において、０°と２５°とのスペクトルに変化がなく、光遮断特性の入射角依存性は低減されることが確認された。一例として、本発明の樹脂シートに、多層膜を積層して形成した光選択透過フィルターにおける、透過率及び入射角依存性を評価したスペクトルを示す（図４）。なお、色素を含有する樹脂層を有しない光選択透過フィルターでは、近赤外領域での透過率スペクトルの吸収端付近における透過率変化のスロープは急峻であるものの、すべての透過率領域において０°と２５°のスペクトルにずれが生じ、光遮断特性の入射角依存性が大きいことが確認された。
したがって、本発明の光選択透過フィルター（実施例１〜４）は、光遮断特性の入射角依存性を低減すると同時に、高度の耐光性を発揮することができることが分かった。
　【符号の説明】
　【０１１９】
１：レンズ
２：光選択透過フィルター
３：センサー
４：光源
５：光選択透過フィルター
６：受光部
（５７）【特許請求の範囲】
　【請求項１】
樹脂シートと、その少なくとも一方の表面に形成されてなる
赤外線
該樹脂シートは、色素及び樹脂成分を含有する樹脂層を有し、
該色素は、
６００〜８００ｎｍの波長域に吸収極大を有する
素を
該金属フタロシアニン系色素は、銅を中心金属とする金属フタロシアニンであり、
該色素の含有量は、該樹脂シートの総量１００質量％に対して、０．０００１質量％以上、１５質量％未満であり、
該樹脂層は、溶剤可溶性であり、
該色素と該樹脂成分を混合して得られる樹脂組成物を用いて形成され、
該樹
、フ
該ポリ（アミド）イミド樹脂は、
下記一般式（５）：
　【化５】
（式中、Ｒ４は、同一又は異なって、有機基を表す。該有機基は、脂肪族鎖状炭化水素、脂肪族環状炭化水素、及び芳香族炭化水素からなる群より選択される少なくとも１種の炭化水素骨格が炭素−炭素結合を介して、又は結合基を介して結合した骨格を有するものであり、該結合基は、−Ｏ−、−ＳＯ２−、−ＣＯ−、−Ｓｉ（ＣＨ３）２、−Ｃ２Ｈ４Ｏ−又は−Ｓ−である。）で表される繰り返し単位を有し、
該フッ素化芳香族ポリマーは、下記一般式（１−１）又は（１−２）で表される繰り返し単位を含む、フッ素原子を有するポリエーテルケトンであり、
　【化１】
（一般式（１−１）中、Ｒ１は、下記の構造式群（３）で表される有機鎖を表す。
　【化３】
Ｚは、２価の鎖又は直接結合を表し、該２価の鎖は、下記構造式（４−１）〜（４−１３）で表される鎖であり、
　【化４】
該構造式（４−１）〜（４−１３）中、Ｘは、該構造式群（３）で表される有機鎖を表す。ｘ及びｙは０以上の整数であり、ｘ＋ｙ＝１〜８を満たし、同一又は異なって、芳香族環に結合しているフッ素原子の数を表す。ｎ１は、重合度を表し、２〜５０００の範囲内である。
一般式（１−２）中、Ｒ２は、炭素数１〜１２のアルキル基、炭素数１〜１２のアルコキシ基、炭素数１〜１２のアルキルチオ基、炭素数６〜２０のアリール基、炭素数６〜２０のアリールオキシ基、又は炭素数６〜２０のアリールチオ基を表す。Ｒ３は、該構造式群（３）で表される有機鎖を表す。ｚは、芳香族環に結合しているフッ素原子の数であり、１又は２である。ｎ１は、重合度を表し、２〜５０００の範囲である。）
該光選択透過フィルターは、６５０ｎｍ〜１０μｍの赤外光と２００〜３５０ｎｍの紫外光の透過率を選択的に５％以下に低減する赤外・紫外線カットフィルターである
光学用途用
　【請求項２】（削除）
　【請求項３】（削除）
　【請求項４】
請求項
１に
　【請求項５】
請求項
１に